(57)【要約】【課題】色のくすみが発生するといった問題の発生を確実に回避することができる画像表示装置を提供する。【解決手段】画像表示装置は、第１、第２、第３及び第４副画素から構成された画素が、２次元マトリクス状に配列されて成る画像表示パネルと、入力信号が入力され、出力信号を出力する信号処理部とを備えており、３原色に第４の色を加えることで拡大されたＨＳＶ色空間における彩度Ｓを変数とした明度の最大値Ｖmax（Ｓ）が、信号処理部に記憶されており、信号処理部においては、入力信号の信号値に基づき彩度Ｓ及び明度Ｖ（Ｓ）が求められ、Ｖmax（Ｓ）／Ｖ（Ｓ）の値の内の少なくとも１つの値に基づいて伸長係数α0が求められ、第４副画素への出力信号値が、少なくとも、第１、第２及び第３副画素への入力信号値に基づき求められ、第１、第２及び第３副画素への出力信号値が、入力信号値、伸長係数α0、及び、第４出力信号値に基づき求められる。【選択図】  図４
2010033009.tif 000002
【特許請求の範囲】
【請求項１】
（Ａ）第１原色を表示する第１副画素、第２原色を表示する第２副画素、第３原色を表示する第３副画素、及び、第４の色を表示する第４副画素から構成された画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部、
とを備えた画像表示装置であって、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における副画素・入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる画像表示装置。
【請求項２】
χを画像表示装置に依存した定数としたとき、
信号処理部において、第（ｐ，ｑ）番目の画素における信号値Ｘ1-(p,q)、信号値Ｘ2-(p,q)及び信号値Ｘ3-(p,q)は、以下の式に基づき求められる請求項１に記載の画像表示装置。
Ｘ1-(p,q)＝α0・ｘ1-(p,q)−χ・Ｘ4-(p,q)
Ｘ2-(p,q)＝α0・ｘ2-(p,q)−χ・Ｘ4-(p,q)
Ｘ3-(p,q)＝α0・ｘ3-(p,q)−χ・Ｘ4-(p,q)
【請求項３】
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、第１副画素、第２副画素及び第３副画素の集合体の輝度をＢＮ1-3とし、第４副画素に第４副画素・出力信号の最大信号値に相当する値を有する信号が入力されたときの第４副画素の輝度ＢＮ4としたとき、定数χは、
χ＝ＢＮ4／ＢＮ1-3
で表される請求項２に記載の画像表示装置。
【請求項４】
第（ｐ，ｑ）番目の画素におけるＨＳＶ色空間における彩度Ｓ(p,q)及び明度Ｖ(p,q)は、以下の式に基づき求められる請求項１に記載の画像表示装置。
Ｓ(p,q)＝（Ｍａｘ(p,q)−Ｍｉｎ(p,q)）／Ｍａｘ(p,q)
Ｖ(p,q)＝Ｍａｘ(p,q)
ここで、
Ｍａｘ(p,q)：（ｘ1-(p,q)，ｘ2-(p,q)，ｘ3-(p,q)）の３つの副画素・入力信号の信号値の最大値
Ｍｉｎ(p,q)：（ｘ1-(p,q)，ｘ2-(p,q)，ｘ3-(p,q)）の３つの副画素・入力信号の信号値の最小値
であり、彩度Ｓは０から１までの値をとることができ、明度Ｖは０から（２n−１）までの値をとることができ、ｎは表示階調ビット数である。
【請求項５】
信号値Ｘ4-(p,q)は、Ｍｉｎ(p,q)及び伸長係数α0に基づき決定される請求項４に記載の画像表示装置。
【請求項６】
複数の画素において求められたＶmax（Ｓ）／Ｖ（Ｓ）の値の内、最も小さい値を伸長係数α0とする請求項１に記載の画像表示装置。
【請求項７】
第４の色は白色である請求項１に記載の画像表示装置。
【請求項８】
画像表示装置はカラー液晶表示装置から成り、
第１副画素と画像観察者との間に配置され、第１原色を通過させる第１カラーフィルター、
第２副画素と画像観察者との間に配置され、第２原色を通過させる第２カラーフィルター、及び、
第３副画素と画像観察者との間に配置され、第３原色を通過させる第３カラーフィルター、
を更に備えている請求項７に記載の画像表示装置。
【請求項９】
彩度Ｓ及び明度Ｖ（Ｓ）を求めるべき複数の画素は、Ｐ×Ｑ個の全画素である請求項１に記載の画像表示装置。
【請求項１０】
彩度Ｓ及び明度Ｖ（Ｓ）を求めるべき複数の画素は、（Ｐ／Ｐ0）×（Ｑ／Ｑ0）個の画素［但し、Ｐ≧Ｐ0，Ｑ≧Ｑ0であり、且つ、（Ｐ／Ｐ0）及び（Ｑ／Ｑ0）の少なくともいずれか一方は２以上の自然数］である請求項１に記載の画像表示装置。
【請求項１１】
伸長係数α0は、１画像表示フレーム毎に決定される請求項１に記載の画像表示装置。
【請求項１２】
（Ａ−１）第１原色を表示する第１副画素が、Ｐ×Ｑ個、２次元マトリクス状に配列されて成る第１画像表示パネルと、
（Ａ−２）第２原色を表示する第２副画素が、Ｐ×Ｑ個、２次元マトリクス状に配列されて成る第２画像表示パネルと、
（Ａ−３）第３原色を表示する第３副画素が、Ｐ×Ｑ個、２次元マトリクス状に配列されて成る第３画像表示パネルと、
（Ａ−４）第４の色を表示する第４副画素が、Ｐ×Ｑ個、２次元マトリクス状に配列されて成る第４画像表示パネルと、
（Ｂ）第（ｐ，ｑ）番目の第１副画素、第２副画素及び第３副画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部と、
（Ｃ）第１画像表示パネル、第２画像表示パネル、第３画像表示パネル、及び、第４画像表示パネルから出射された画像を合成する合成手段、
とを備えた画像表示装置であって、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）が求められ、
（Ｂ−２）複数の第１副画素、第２副画素及び第３副画素の組において求められたＶmax（Ｓ）／Ｖ（Ｓ）の値の内、少なくとも１つの値に基づいて伸長係数α0が求められ、
（Ｂ−３）第（ｐ，ｑ）番目の第４副画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の第１副画素における信号値Ｘ1-(p,q)が、信号値ｘ1-(p,q)、伸長係数α0、及び、信号値Ｘ4-(p,q)に基づき求められ、
第（ｐ，ｑ）番目の第２副画素における信号値Ｘ2-(p,q)が、信号値ｘ2-(p,q)、伸長係数α0、及び、信号値Ｘ4-(p,q)に基づき求められ、
第（ｐ，ｑ）番目の第３副画素における信号値Ｘ3-(p,q)が、信号値ｘ3-(p,q)、伸長係数α0、及び、信号値Ｘ4-(p,q)に基づき求められる画像表示装置。
【請求項１３】
（Ａ）画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１入力信号、
信号値がｘ2-(p,q)の第２入力信号、及び、
信号値がｘ3-(p,q)の第３入力信号、
が入力され、
信号値がＸ1-(p,q)であり、第１原色の表示階調を決定するための第１出力信号、
信号値がＸ2-(p,q)であり、第２原色の表示階調を決定するための第２出力信号、
信号値がＸ3-(p,q)であり、第３原色の表示階調を決定するための第３出力信号、及び、
信号値がＸ4-(p,q)であり、第４の色の表示階調を決定するための第４出力信号、
を出力する信号処理部、
とを備えたフィールドシーケンシャル方式の画像表示装置であって、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における第１入力信号、第２入力信号及び第３入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる画像表示装置。
【請求項１４】
（Ａ）第１原色を表示する第１副画素、第２原色を表示する第２副画素、第３原色を表示する第３副画素、及び、第４の色を表示する第４副画素から構成された画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部、
とを備えた画像表示装置、並びに、
（Ｃ）画像表示装置を背面から照明する面状光源装置、
を具備した画像表示装置組立体であって、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における副画素・入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる画像表示装置組立体。
【請求項１５】
面状光源装置の輝度が伸長係数α0に基づき減少させられる請求項１４に記載の画像表示装置組立体。
【請求項１６】
（Ａ）第１原色を表示する第１副画素、第２原色を表示する第２副画素、第３原色を表示する第３副画素、及び、第４の色を表示する第４副画素から構成された画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部、
とを備えた画像表示装置の駆動方法であって、
第４の色を加えることで拡大されたＨＳＶ色空間における彩度Ｓを変数とした明度の最大値Ｖmax（Ｓ）を、信号処理部に記憶しておき、
信号処理部において、
（ａ）複数の画素における副画素・入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求める画像表示装置の駆動方法。
【請求項１７】
（Ａ−１）第１原色を表示する第１副画素が、Ｐ×Ｑ個、２次元マトリクス状に配列されて成る第１画像表示パネルと、
（Ａ−２）第２原色を表示する第２副画素が、Ｐ×Ｑ個、２次元マトリクス状に配列されて成る第２画像表示パネルと、
（Ａ−３）第３原色を表示する第３副画素が、Ｐ×Ｑ個、２次元マトリクス状に配列されて成る第３画像表示パネルと、
（Ａ−４）第４の色を表示する第４副画素が、Ｐ×Ｑ個、２次元マトリクス状に配列されて成る第４画像表示パネルと、
（Ｂ）第（ｐ，ｑ）番目の第１副画素、第２副画素及び第３副画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部と、
（Ｃ）第１画像表示パネル、第２画像表示パネル、第３画像表示パネル、及び、第４画像表示パネルから出射された画像を合成する合成手段、
とを備えた画像表示装置の駆動方法であって、
第４の色を加えることで拡大されたＨＳＶ色空間における彩度Ｓを変数とした明度の最大値Ｖmax（Ｓ）を、信号処理部に記憶しておき、
信号処理部において、
（ａ）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）を求め、
（ｂ）複数の第１副画素、第２副画素及び第３副画素の組において求められたＶmax（Ｓ）／Ｖ（Ｓ）の値の内、少なくとも１つの値に基づいて伸長係数α0を求め、
（ｃ）第（ｐ，ｑ）番目の第４副画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の第１副画素における信号値Ｘ1-(p,q)を、信号値ｘ1-(p,q)、伸長係数α0、及び、信号値Ｘ4-(p,q)に基づき求め、
第（ｐ，ｑ）番目の第２副画素における信号値Ｘ2-(p,q)を、信号値ｘ2-(p,q)、伸長係数α0、及び、信号値Ｘ4-(p,q)に基づき求め、
第（ｐ，ｑ）番目の第３副画素における信号値Ｘ3-(p,q)を、信号値ｘ3-(p,q)、伸長係数α0、及び、信号値Ｘ4-(p,q)に基づき求める画像表示装置の駆動方法。
【請求項１８】
（Ａ）画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１入力信号、
信号値がｘ2-(p,q)の第２入力信号、及び、
信号値がｘ3-(p,q)の第３入力信号、
が入力され、
信号値がＸ1-(p,q)であり、第１原色の表示階調を決定するための第１出力信号、
信号値がＸ2-(p,q)であり、第２原色の表示階調を決定するための第２出力信号、
信号値がＸ3-(p,q)であり、第３原色の表示階調を決定するための第３出力信号、及び、
信号値がＸ4-(p,q)であり、第４の色の表示階調を決定するための第４出力信号、
を出力する信号処理部、
とを備えたフィールドシーケンシャル方式の画像表示装置の駆動方法であって、
第４の色を加えることで拡大されたＨＳＶ色空間における彩度Ｓを変数とした明度の最大値Ｖmax（Ｓ）が、信号処理部に記憶されており、
信号処理部において、
（ａ）複数の画素における第１入力信号、第２入力信号及び第３入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求める画像表示装置の駆動方法。
【請求項１９】
（Ａ）第１原色を表示する第１副画素、第２原色を表示する第２副画素、第３原色を表示する第３副画素、及び、第４の色を表示する第４副画素から構成された画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部、
とを備えた画像表示装置、並びに、
（Ｃ）画像表示装置を背面から照明する面状光源装置、
を具備した画像表示装置組立体の駆動方法であって、
第４の色を加えることで拡大されたＨＳＶ色空間における彩度Ｓを変数とした明度の最大値Ｖmax（Ｓ）を、信号処理部に記憶しておき、
信号処理部において、
（ａ）複数の画素における副画素・入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求め、
（ｅ）併せて、面状光源装置の輝度を、伸長係数α0に基づき減少させる画像表示装置組立体の駆動方法。
【発明の詳細な説明】
【技術分野】
【０００１】
本発明は、画像表示装置及びその駆動方法、並びに、画像表示装置組立体及びその駆動方法に関する。
【背景技術】
【０００２】
近年、例えばカラー液晶表示装置等の画像表示装置では、その高性能化に伴い、消費電力の増大が課題となっている。特に、高精細化、色再現範囲の拡大や高輝度化に伴い、例えばカラー液晶表示装置の場合、バックライトの消費電力が増大してしまう。この問題を解決するために、表示画素を、赤色を表示する赤色表示副画素、緑色を表示する緑色表示副画素、青色を表示する青色表示副画素の３つの副画素に加え、例えば、白色を表示する白色表示副画素の４副画素構成とし、この白色表示副画素により輝度を向上させる技術が注目されている。そして、４副画素構成によって従来と同じ消費電力で高輝度が得られるが故に、輝度を従来と同じとする場合には、バックライトの消費電力を下げることが可能となる。
【０００３】
ここで、例えば、特許第３１６７０２６号公報に開示されたカラー画像表示装置は、
入力信号より加色３原色法における３種類の色信号を生成する手段と、
これらの３色相の色信号より各々同比率にて加色して得られる補助信号を生成し、補助信号と、補助信号を３色相の信号から減算した３種類の色信号の計４種の表示信号を表示器に供給する手段、
を有する。尚、３種類の色信号によって赤色表示副画素、緑色表示副画素及び青色表示副画素が駆動され、補助信号によって白色表示副画素が駆動される。
【０００４】
また、特許第３８０５１５０号公報には、赤出力用副画素、緑出力用副画素、青出力用副画素及び輝度用副画素を１つの主画素単位とする液晶パネルを備えるカラー表示可能な液晶表示装置であって、
入力画像信号から得られた赤入力用副画素、緑入力用副画素及び青入力用副画素のデジタル値Ｒｉ、Ｇｉ及びＢｉを用いて、前記輝度用副画素を駆動するためのデジタル値Ｗと、前記赤出力用副画素、緑出力用副画素、青出力用副画素及び輝度用副画素を駆動するためのデジタル値Ｒｏ、Ｇｏ、及びＢｏとを求める演算手段を有し、
前記演算手段は、
Ｒｉ：Ｇｉ：Ｂｉ＝（Ｒｏ＋Ｗ）：（Ｇｏ＋Ｗ）：（Ｂｏ＋Ｗ）
の関係を満たしかつ前記輝度用副画素の追加により前記赤入力用副画素、緑入力用副画素及び青入力用副画素のみの構成よりも輝度の増強がなされるようなＲｏ、Ｇｏ及びＢｏ、並びにＷの各値を求めることを特徴とする液晶表示装置が開示されている。
【先行技術文献】
【特許文献】
【０００５】
【特許文献１】特許第３１６７０２６号公報
【特許文献２】特許第３８０５１５０号公報
【発明の概要】
【発明が解決しようとする課題】
【０００６】
ところで、特許第３１６７０２６号公報や特許第３８０５１５０号公報に開示された技術にあっては、白色表示副画素の輝度は増加するが、赤色表示副画素、緑色表示副画素あるいは青色表示副画素の輝度は増加しない。それ故、色のくすみが発生するといった問題がある。このような現象は、同時コントラスト（Simultaneous Contrast）と呼ばれる。特に、視感度の高い黄色において、このような現象の発生が顕著である。
【０００７】
従って、本発明の目的は、色のくすみが発生するといった問題の発生を確実に回避することができる画像表示装置及びその駆動方法、並びに、画像表示装置組立体及びその駆動方法を提供することにある。
【課題を解決するための手段】
【０００８】
上記の目的を達成するための本発明の第１の態様に係る画像表示装置は、
（Ａ）第１原色を表示する第１副画素、第２原色を表示する第２副画素、第３原色を表示する第３副画素、及び、第４の色を表示する第４副画素から構成された画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部、
とを備えた画像表示装置である。
【０００９】
また、上記の目的を達成するための本発明の画像表示装置組立体は、上述した本発明の第１の態様に係る画像表示装置、並びに、画像表示装置を背面から照明する面状光源装置を具備した画像表示装置組立体である。
【００１０】
そして、本発明の第１の態様に係る画像表示装置あるいは本発明の画像表示装置組立体にあっては、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における副画素・入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる。
【００１１】
ここで、本発明の画像表示装置組立体にあっては、面状光源装置の輝度が伸長係数α0に基づき減少させられる形態とすることが好ましい。
【００１２】
一方、上記の目的を達成するための本発明の第２の態様に係る画像表示装置は、
（Ａ−１）第１原色を表示する第１副画素が、Ｐ×Ｑ個、２次元マトリクス状に配列されて成る第１画像表示パネルと、
（Ａ−２）第２原色を表示する第２副画素が、Ｐ×Ｑ個、２次元マトリクス状に配列されて成る第２画像表示パネルと、
（Ａ−３）第３原色を表示する第３副画素が、Ｐ×Ｑ個、２次元マトリクス状に配列されて成る第３画像表示パネルと、
（Ａ−４）第４の色を表示する第４副画素が、Ｐ×Ｑ個、２次元マトリクス状に配列されて成る第４画像表示パネルと、
（Ｂ）第（ｐ，ｑ）番目の第１副画素、第２副画素及び第３副画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部と、
（Ｃ）第１画像表示パネル、第２画像表示パネル、第３画像表示パネル、及び、第４画像表示パネルから出射された画像を合成する合成手段、
とを備えた画像表示装置である。
【００１３】
そして、本発明の第２の態様に係る画像表示装置にあっては、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）が求められ、
（Ｂ−２）複数の第１副画素、第２副画素及び第３副画素の組において求められたＶmax（Ｓ）／Ｖ（Ｓ）の値の内、少なくとも１つの値に基づいて伸長係数α0が求められ、
（Ｂ−３）第（ｐ，ｑ）番目の第４副画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の第１副画素における信号値Ｘ1-(p,q)が、信号値ｘ1-(p,q)、伸長係数α0、及び、信号値Ｘ4-(p,q)に基づき求められ、
第（ｐ，ｑ）番目の第２副画素における信号値Ｘ2-(p,q)が、信号値ｘ2-(p,q)、伸長係数α0、及び、信号値Ｘ4-(p,q)に基づき求められ、
第（ｐ，ｑ）番目の第３副画素における信号値Ｘ3-(p,q)が、信号値ｘ3-(p,q)、伸長係数α0、及び、信号値Ｘ4-(p,q)に基づき求められる。
【００１４】
上記の目的を達成するための本発明の第３の態様に係る画像表示装置は、
（Ａ）画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１入力信号、
信号値がｘ2-(p,q)の第２入力信号、及び、
信号値がｘ3-(p,q)の第３入力信号、
が入力され、
信号値がＸ1-(p,q)であり、第１原色の表示階調を決定するための第１出力信号、
信号値がＸ2-(p,q)であり、第２原色の表示階調を決定するための第２出力信号、
信号値がＸ3-(p,q)であり、第３原色の表示階調を決定するための第３出力信号、及び、
信号値がＸ4-(p,q)であり、第４の色の表示階調を決定するための第４出力信号、
を出力する信号処理部、
とを備えたフィールドシーケンシャル方式の画像表示装置である。
【００１５】
そして、本発明の第３の態様に係る画像表示装置にあっては、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における第１入力信号、第２入力信号及び第３入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる。
【００１６】
また、上記の目的を達成するための本発明の第１の態様に係る画像表示装置の駆動方法は、上述した本発明の第１の態様に係る画像表示装置を駆動する方法である。
【００１７】
更には、上記の目的を達成するための本発明の画像表示装置組立体の駆動方法は、上述した本発明の画像表示装置組立体を駆動する方法である。
【００１８】
そして、本発明の第１の態様に係る画像表示装置の駆動方法あるいは本発明の画像表示装置組立体の駆動方法にあっては、
第４の色を加えることで拡大されたＨＳＶ色空間における彩度Ｓを変数とした明度の最大値Ｖmax（Ｓ）を、信号処理部に記憶しておき、
信号処理部において、
（ａ）複数の画素における副画素・入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求める。
【００１９】
加えて、本発明の画像表示装置組立体の駆動方法にあっては、前記工程（ｄ）に引き続き、
（ｅ）併せて、面状光源装置の輝度を、伸長係数α0に基づき減少させる。
【００２０】
また、上記の目的を達成するための本発明の第２の態様に係る画像表示装置の駆動方法は、上述した本発明の第２の態様に係る画像表示装置を駆動する方法である。
【００２１】
そして、本発明の第２の態様に係る画像表示装置の駆動方法にあっては、
第４の色を加えることで拡大されたＨＳＶ色空間における彩度Ｓを変数とした明度の最大値Ｖmax（Ｓ）を、信号処理部に記憶しておき、
信号処理部において、
（ａ）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）を求め、
（ｂ）複数の第１副画素、第２副画素及び第３副画素の組において求められたＶmax（Ｓ）／Ｖ（Ｓ）の値の内、少なくとも１つの値に基づいて伸長係数α0を求め、
（ｃ）第（ｐ，ｑ）番目の第４副画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の第１副画素における信号値Ｘ1-(p,q)を、信号値ｘ1-(p,q)、伸長係数α0、及び、信号値Ｘ4-(p,q)に基づき求め、
第（ｐ，ｑ）番目の第２副画素における信号値Ｘ2-(p,q)を、信号値ｘ2-(p,q)、伸長係数α0、及び、信号値Ｘ4-(p,q)に基づき求め、
第（ｐ，ｑ）番目の第３副画素における信号値Ｘ3-(p,q)を、信号値ｘ3-(p,q)、伸長係数α0、及び、信号値Ｘ4-(p,q)に基づき求める。
【００２２】
また、上記の目的を達成するための本発明の第３の態様に係る画像表示装置の駆動方法は、上述した本発明の第３の態様に係る画像表示装置を駆動する方法である。そして、本発明の第３の態様に係る画像表示装置の駆動方法にあっては、
第４の色を加えることで拡大されたＨＳＶ色空間における彩度Ｓを変数とした明度の最大値Ｖmax（Ｓ）が、信号処理部に記憶されており、
信号処理部においては、
（ａ）複数の画素における第１入力信号、第２入力信号及び第３入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求める。
【発明の効果】
【００２３】
本発明の第１の態様〜第３の態様に係る画像表示装置あるいはその駆動方法、本発明の画像表示装置組立体あるいはその駆動方法にあっては、第４の色を加えることで拡大されたＨＳＶ色空間における彩度Ｓを変数とした明度の最大値Ｖmax（Ｓ）が、信号処理部に記憶されている。そして、複数の画素（あるいは、第１副画素、第２副画素及び第３副画素の組）における副画素・入力信号の信号値に基づき、あるいは又、複数の画素における第１入力信号、第２入力信号及び第３入力信号の信号値に基づき、複数の画素における彩度Ｓ及び明度Ｖ（Ｓ）が求められ、更には、Ｖmax（Ｓ）／Ｖ（Ｓ）に基づき伸長係数α0が求められる。そして、更には、信号値Ｘ1-(p,q)，Ｘ2-(p,q)，Ｘ3-(p,q)，Ｘ4-(p,q)が、少なくとも、信号値ｘ1-(p,q)，ｘ2-(p,q)，ｘ3-(p,q)，伸長係数α0に基づき求められる。このように、伸長係数α0に基づき信号値Ｘ1-(p,q)，Ｘ2-(p,q)，Ｘ3-(p,q)，Ｘ4-(p,q)が伸長される結果、従来の技術のように、白色表示副画素の輝度は増加するが、赤色表示副画素、緑色表示副画素あるいは青色表示副画素の輝度は増加しないといったことがない。即ち、白色表示副画素の輝度を増加させるだけでなく、赤色表示副画素、緑色表示副画素あるいは青色表示副画素の輝度も増加させる。それ故、色のくすみが発生するといった問題の発生を確実に回避することができる。
【００２４】
また、本発明の第１の態様〜第３の態様に係る画像表示装置あるいはその駆動方法にあっては、表示画像の輝度の増加を図ることができ、例えば、静止画や広告媒体、携帯電話の待ち受け画面等の画像表示に最適である。一方、本発明の画像表示装置組立体あるいはその駆動方法にあっては、面状光源装置の輝度が伸長係数α0に基づき減少させられるが故に、面状光源装置の消費電力の低減を図ることができる。
【図面の簡単な説明】
【００２５】
【図１】図１は、実施例１の画像表示装置の概念図である。
【図２】図２の（Ａ）及び（Ｂ）は、実施例１の画像表示装置における画像表示パネル及び画像表示パネル駆動回路の概念図である。
【図３】図３の（Ａ）及び（Ｂ）は、それぞれ、一般的な円柱のＨＳＶ色空間の概念図、及び、彩度（Ｓ）と明度（Ｖ）の関係を模式的に示す図であり、図３の（Ｃ）及び（Ｄ）は、それぞれ、実施例１における拡大された円柱のＨＳＶ色空間の概念図、及び、彩度（Ｓ）と明度（Ｖ）の関係を模式的に示す図である。
【図４】図４の（Ａ）及び（Ｂ）は、それぞれ、実施例１における第４の色（白色）を加えることで拡大された円柱のＨＳＶ色空間における彩度（Ｓ）と明度（Ｖ）の関係を模式的に示す図である。
【図５】図５は、実施例１における第４の色（白色）を加える前の従来のＨＳＶ色空間、第４の色（白色）を加えることで拡大されたＨＳＶ色空間、及び、入力信号の彩度（Ｓ）と明度（Ｖ）の関係を示す図である。
【図６】図６は、実施例１における第４の色（白色）を加える前の従来のＨＳＶ色空間、第４の色（白色）を加えることで拡大されたＨＳＶ色空間、及び、出力信号（伸長処理が施されている）の彩度（Ｓ）と明度（Ｖ）の関係を示す図である。
【図７】図７の（Ａ）及び（Ｂ）は、それぞれ、実施例１の画像表示装置の駆動方法、画像表示装置組立体の駆動方法における伸長処理と、特許第３８０５１５０号公報に開示された処理方法との違いを説明するための、入力信号値及び出力信号値を模式的に示す図である。
【図８】図８は、実施例２の画像表示装置組立体を構成する画像表示パネル及び面状光源装置の概念図である。
【図９】図９は、実施例２の画像表示装置組立体を構成する面状光源装置における面状光源装置制御回路の回路図である。
【図１０】図１０は、実施例２の画像表示装置組立体を構成する面状光源装置における面状光源ユニット等の配置、配列状態を模式的に示す図である。
【図１１】図１１の（Ａ）及び（Ｂ）は、表示領域ユニット内・信号最大値Ｘmax-(s,t)に相当する制御信号が副画素に供給されたと想定したときの表示輝度・第２規定値ｙ2が面状光源ユニットによって得られるように、面状光源ユニットの光源輝度Ｙ2を、面状光源装置駆動回路の制御下、増減する状態を説明するための概念図である。
【図１２】図１２は、実施例３の画像表示装置の等価回路図である。
【図１３】図１３は、実施例３の画像表示装置を構成する画像表示パネルの概念図である。
【図１４】図１４の（Ａ）及び（Ｂ）は、実施例４の画像表示装置の等価回路図、及び、発光素子パネルの模式的な断面図である。
【図１５】図１５は、実施例４の画像表示装置の別の等価回路図である。
【図１６】図１６は、実施例４の画像表示装置の概念図である。
【図１７】図１７の（Ａ）及び（Ｂ）は、実施例４の別の画像表示装置の概念図である。
【図１８】図１８の（Ａ）及び（Ｂ）は、実施例５の画像表示装置の概念図である。
【図１９】図１９は、エッジライト型（サイドライト型）の面状光源装置の概念図である。
【発明を実施するための形態】
【００２６】
以下、図面を参照して、実施例に基づき本発明を説明するが、本発明は実施例に限定されるものではなく、実施例における種々の数値や材料、構成、構造は例示である。尚、説明は、以下の順序で行う。
１．本発明の第１の態様〜第３の態様に係る画像表示装置及びその駆動方法、並びに、本発明の画像表示装置組立体及びその駆動方法、全般に関する説明
２．実施例１（本発明の第１の態様に係る画像表示装置及びその駆動方法、並びに、本発明の画像表示装置組立体及びその駆動方法）
３．実施例２（実施例１の変形）
４．実施例３（実施例１の別の変形）
６．実施例４（本発明の第２の態様に係る画像表示装置及びその駆動方法）
７．実施例５（本発明の第３の態様に係る画像表示装置及びその駆動方法、その他）
【００２７】
［本発明の第１の態様〜第３の態様に係る画像表示装置及びその駆動方法、並びに、画像表示装置組立体及びその駆動方法、全般に関する説明］
本発明の第１の態様〜第３の態様に係る画像表示装置、本発明の第１の態様〜第３の態様に係る画像表示装置の駆動方法、好ましい形態を含む本発明の画像表示装置組立体、あるいは、本発明の画像表示装置組立の駆動方法（以下、これらを総称して、単に、『本発明』と呼ぶ場合がある）にあっては、
χを画像表示装置に依存した定数としたとき、
信号処理部において、第（ｐ，ｑ）番目の画素（あるいは、第１副画素、第２副画素及び第３副画素の組）における信号値Ｘ1-(p,q)、信号値Ｘ2-(p,q)及び信号値Ｘ3-(p,q)は、以下の式に基づき求めることができる。
Ｘ1-(p,q)＝α0・ｘ1-(p,q)−χ・Ｘ4-(p,q)    （１−１）
Ｘ2-(p,q)＝α0・ｘ2-(p,q)−χ・Ｘ4-(p,q)    （１−２）
Ｘ3-(p,q)＝α0・ｘ3-(p,q)−χ・Ｘ4-(p,q)    （１−３）
【００２８】
そして、この場合、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、第１副画素、第２副画素及び第３副画素の集合体の輝度をＢＮ1-3とし、第４副画素に第４副画素・出力信号の最大信号値に相当する値を有する信号が入力されたときの第４副画素の輝度ＢＮ4としたとき、定数χは、
χ＝ＢＮ4／ＢＮ1-3
で表すことができる。尚、定数χは、画像表示装置や画像表示装置組立体に固有の値であり、画像表示装置や画像表示装置組立体によって一義的に決定される値である。
【００２９】
以上に説明した好ましい構成を含む本発明にあっては、第（ｐ，ｑ）番目の画素（あるいは、第１副画素、第２副画素及び第３副画素の組）におけるＨＳＶ色空間における彩度Ｓ(p,q)及び明度Ｖ(p,q)は、以下の式に基づき求めることができる。尚、「ＨＳＶ色空間」の「Ｈ」は、色の種類を指す色相（Hue）を意味し、「Ｓ」は、色の鮮やかさを指す彩度（Saturation, Chroma）を意味し、「Ｖ」は、色の明るさを指す明度（Brightness Value, Lightness Value）を意味する。
Ｓ(p,q)＝（Ｍａｘ(p,q)−Ｍｉｎ(p,q)）／Ｍａｘ(p,q)    （２−１）
Ｖ(p,q)＝Ｍａｘ(p,q)                                  （２−２）
ここで、
Ｍａｘ(p,q)：（ｘ1-(p,q)，ｘ2-(p,q)，ｘ3-(p,q)）の３つの副画素・入力信号の信号値の最大値
Ｍｉｎ(p,q)：（ｘ1-(p,q)，ｘ2-(p,q)，ｘ3-(p,q)）の３つの副画素・入力信号の信号値の最小値
であり、彩度Ｓは０から１までの値をとることができ、明度Ｖは０から（２n−１）までの値をとることができ、ｎは表示階調ビット数である。
【００３０】
そして、この場合、信号値Ｘ4-(p,q)は、Ｍｉｎ(p,q)及び伸長係数α0に基づき決定される形態とすることができる。
【００３１】
あるいは又、信号値Ｘ4-(p,q)は、Ｍｉｎ(p,q)に基づき決定される形態とすることができる。あるいは又、信号値Ｘ4-(p,q)は、例えば、以下の式に基づき得ることもできる。但し、Ｃ1，Ｃ2，Ｃ3，Ｃ4，Ｃ5は定数である。尚、Ｘ4-(p,q)の値としてどのような値を用いるかは、画像表示装置や画像表示装置組立体を試作し、例えば、画像観察者によって画像の評価を行い、適宜決定すればよい。
Ｘ4-(p,q)＝Ｃ1［Ｍｉｎ(p,q)］2・α0
あるいは又、
Ｘ4-(p,q)＝Ｃ2［Ｍａｘ(p,q)］1/2・α0
あるいは又、
Ｘ4-(p,q)＝Ｃ3｛［Ｍｉｎ(p,q)／Ｍａｘ(p,q)］  あるいは  （２n−１） のいずれかとα0の積｝
あるいは又、
Ｘ4-(p,q)＝Ｃ4（｛（２n−１）×Ｍｉｎ(p,q)／［Ｍａｘ(p,q)−Ｍｉｎ(p,q)］｝  あるいは  （２n−１）  のいずれかとα0の積）
あるいは又、
Ｘ4-(p,q)＝Ｃ5｛Ｍａｘ(p,q)］1/2  と  Ｍｉｎ(p,q)の値の内の小さい方の値とα0の積｝
【００３２】
更には、以上に説明した好ましい構成、形態を含む本発明にあっては、複数の画素において求められたＶmax（Ｓ）／Ｖ（Ｓ）［≡α（Ｓ）］の値の内、最も小さい値（αmin）を伸長係数α0とする形態とすることができる。あるいは又、表示すべき画像にも依るが、例えば、（１±０．４）・αmin内のいずれかの値を伸長係数α0としてもよい。
【００３３】
また、複数の画素（あるいは、複数の第１副画素、第２副画素及び第３副画素の組）において求められたＶmax（Ｓ）／Ｖ（Ｓ）［≡α（Ｓ）］の値の内、少なくとも１つの値に基づいて伸長係数α0が求められるが、１つの値（例えば、最も小さい値αmin）に基づいて伸長係数α0を求めてもよいし、最も小さい値から順に複数個の値α（Ｓ）を求め、これらの値の平均値（αave）を伸長係数α0としてもよいし、更には、（１±０．４）・αave内のいずれかの値を伸長係数α0としてもよい。あるいは又、最も小さい値から順に複数個の値α（Ｓ）を求めたときの画素（あるいは、複数の第１副画素、第２副画素及び第３副画素の組）の数が所定の数以下の場合、複数個の個数の数を変更して、最も小さい値から順に複数個の値α（Ｓ）を再び求めてもよい。
【００３４】
更には、以上に説明した好ましい構成、形態を含む本発明にあっては、第４の色は白色である形態とすることができる。但し、これに限定するものではなく、第４の色は、その他、例えば、イエロー、シアンあるいはマゼンダとすることもできる。そして、これらの場合、
画像表示装置をカラー液晶表示装置から構成する場合、
第１副画素と画像観察者との間に配置され、第１原色を通過させる第１カラーフィルター、
第２副画素と画像観察者との間に配置され、第２原色を通過させる第２カラーフィルター、及び、
第３副画素と画像観察者との間に配置され、第３原色を通過させる第３カラーフィルター、
を更に備えている構成とすることができる。
【００３５】
更には、以上に説明した好ましい構成、形態を含む本発明にあっては、彩度Ｓ及び明度Ｖ（Ｓ）を求めるべき複数の画素（あるいは、第１副画素、第２副画素及び第３副画素の組）は、Ｐ×Ｑ個の全画素（あるいは、第１副画素、第２副画素及び第３副画素の組）である形態とすることができるし、あるいは又、彩度Ｓ及び明度Ｖ（Ｓ）を求めるべき複数の画素（あるいは、第１副画素、第２副画素及び第３副画素の組）は、（Ｐ／Ｐ0）×（Ｑ／Ｑ0）個の画素（あるいは、第１副画素、第２副画素及び第３副画素の組）［但し、Ｐ≧Ｐ0，Ｑ≧Ｑ0であり、且つ、（Ｐ／Ｐ0）及び（Ｑ／Ｑ0）の少なくともいずれか一方は２以上の自然数］である形態とすることができる。尚、（Ｐ／Ｐ0），（Ｑ／Ｑ0）の具体的な値として、２，４，８，１６・・・といった２の冪乗を例示することができる。前者の形態を採用することで、画質変化が無く、画質を最大限、良好に保持することができる。一方、後者の形態を採用することで、処理速度の向上、信号処理部の回路の簡素化を図ることができる。
【００３６】
尚、このような場合、例えば、（Ｐ／Ｐ0）＝４，（Ｑ／Ｑ0）＝４としたとき、４つ毎の画素（あるいは、第１副画素、第２副画素及び第３副画素の４つ毎の組）で１つの彩度Ｓ及び明度Ｖ（Ｓ）を求めるので、残りの３つ画素（あるいは、３つの組）にあっては、Ｖmax（Ｓ）／Ｖ（Ｓ）［≡α（Ｓ）］に値が伸長係数α0よりも小さくなる場合があり得る。即ち、伸長された出力信号の値がＶmax（Ｓ）を越える場合もあり得る。このような場合には、例えば、伸長された出力信号の値の上限値をＶmax（Ｓ）と一致させればよい。
【００３７】
更には、以上に説明した好ましい構成、形態を含む本発明にあっては、伸長係数α0は、１画像表示フレーム毎に決定される構成とすることができる。
【００３８】
面状光源装置を構成する光源として、発光素子、具体的には、発光ダイオード（ＬＥＤ）を挙げることができる。発光ダイオードから成る発光素子は占有体積も小さく、複数の発光素子を配置するのに好適である。発光素子としての発光ダイオードとして、白色発光ダイオード（例えば、紫外又は青色発光ダイオードと発光粒子とを組み合わせて白色を発光する発光ダイオード）を挙げることができる。
【００３９】
ここで、発光粒子として、赤色発光蛍光体粒子、緑色発光蛍光体粒子、青色発光蛍光体粒子を挙げることができる。赤色発光蛍光体粒子を構成する材料として、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕ、（ＭＥ：Ｅｕ）Ｓ［但し、「ＭＥ」は、Ｃａ、Ｓｒ及びＢａから成る群から選択された少なくとも１種類の原子を意味し、以下においても同様である］、（Ｍ：Ｓｍ）x（Ｓｉ，Ａｌ）12（Ｏ，Ｎ）16［但し、「Ｍ」は、Ｌｉ、Ｍｇ及びＣａから成る群から選択された少なくとも１種類の原子を意味し、以下においても同様である］、ＭＥ2Ｓｉ5Ｎ8：Ｅｕ、（Ｃａ：Ｅｕ）ＳｉＮ2、（Ｃａ：Ｅｕ）ＡｌＳｉＮ3を挙げることができる。また、緑色発光蛍光体粒子を構成する材料として、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎを挙げることができ、更には、（ＭＥ：Ｅｕ）Ｇａ2Ｓ4、（Ｍ：ＲＥ）x（Ｓｉ，Ａｌ）12（Ｏ，Ｎ）16［但し、「ＲＥ」は、Ｔｂ及びＹｂを意味する］、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16を挙げることができる。更には、青色発光蛍光体粒子を構成する材料として、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。但し、発光粒子は、蛍光体粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移により鋭く発光することが知られており、このような技術を適用した発光粒子を挙げることもできる。
【００４０】
あるいは又、面状光源装置を構成する光源として、赤色（例えば、主発光波長６４０ｎｍ）を発光する赤色発光素子（例えば、発光ダイオード）、緑色（例えば、主発光波長５３０ｎｍ）を発光する緑色発光素子（例えば、ＧａＮ系発光ダイオード）、及び、青色（例えば、主発光波長４５０ｎｍ）を発光する青色発光素子（例えば、ＧａＮ系発光ダイオード）の組合せから構成することができる。赤色、緑色、青色以外の第４番目の色、第５番目の色・・・を発光する発光素子を更に備えていてもよい。
【００４１】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する第１化合物半導体層、第１化合物半導体層上に形成された活性層、活性層上に形成された第２導電型（例えばｐ型）を有する第２化合物半導体層の積層構造を有し、第１化合物半導体層に電気的に接続された第１電極、及び、第２化合物半導体層に電気的に接続された第２電極を備えている。発光ダイオードを構成する層は、発光波長に依存して、周知の化合物半導体材料から構成すればよい。
【００４２】
面状光源装置は、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置とすることができる。
【００４３】
直下型の面状光源装置にあっては、光源としての上述した発光素子が、筐体内に配置、配列されている構成とすることができるが、これに限定するものではない。ここで、複数の赤色発光素子、複数の緑色発光素子、及び、複数の青色発光素子が、筐体内に配置、配列されている場合、これらの発光素子の配列状態として、赤色発光素子、緑色発光素子及び青色発光素子を１組とした発光素子群を画像表示パネル（具体的には、例えば、液晶表示装置）の画面水平方向に複数、連ねて発光素子群アレイを形成し、この発光素子群アレイを画像表示パネルの画面垂直方向に複数本、並べる配列を例示することができる。尚、発光素子群として、（１つの赤色発光素子，１つの緑色発光素子，１つの青色発光素子）、（１つの赤色発光素子，２つの緑色発光素子，１つの青色発光素子）、（２つの赤色発光素子，２つの緑色発光素子，１つの青色発光素子）等の複数個の組合せを挙げることができる。尚、発光素子には、例えば、日経エレクトロニクス  ２００４年１２月２０日第８８９号の第１２８ページに掲載されたような光取出しレンズが取り付けられていてもよい。
【００４４】
また、直下型の面状光源装置を複数の面状光源ユニットから構成する場合、１つの面状光源ユニットは、１つの発光素子群から構成されていてもよいし、２つ以上の複数の発光素子群から構成されていてもよい。あるいは又、１つの面状光源ユニットは、１つの白色発光ダイオードから構成されていてもよいし、２つ以上の複数の白色発光ダイオードから構成されていてもよい。
【００４５】
直下型の面状光源装置を複数の面状光源ユニットから構成する場合、面状光源ユニットと面状光源ユニットとの間に隔壁を配設してもよい。隔壁を構成する材料として、具体的には、アクリル系樹脂、ポリカーボネート樹脂、ＡＢＳ樹脂といった、面状光源ユニットに備えられた発光素子から出射された光に対して不透明な材料を挙げることができるし、面状光源ユニットに備えられた発光素子から出射された光に対して透明な材料として、ポリメタクリル酸メチル樹脂（ＰＭＭＡ）、ポリカーボネート樹脂（ＰＣ）、ポリアリレート樹脂（ＰＡＲ）、ポリエチレンテレフタレート樹脂（ＰＥＴ）、ガラスを例示することができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００４６】
直下型の面状光源装置は、光拡散板、光拡散シート、プリズムシート、偏光変換シートといった光学機能シート群や、光反射シートを備えている構成とすることができる。光拡散板、光拡散シート、プリズムシート、偏光変換シート、光反射シートとして、広く周知の材料を用いることができる。光学機能シート群は、離間配置された各種シートから構成されていてもよいし、積層され一体として構成されていてもよい。例えば、光拡散シート、プリズムシート、偏光変換シート等が積層され一体となっていてもよい。光拡散板や光学機能シート群は、面状光源装置と画像表示パネルとの間に配置される。
【００４７】
一方、エッジライト型の面状光源装置にあっては、画像表示パネル（具体的には、例えば、液晶表示装置）に対向して導光板が配置され、導光板の側面（次に述べる第１側面）に発光素子が配置される。導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から光が入射され、第２面（頂面）から画像表示パネルに向けて光が出射される。ここで、導光板の第２面は、平滑としてもよいし（即ち、鏡面としてもよいし）、光拡散効果のあるブラストシボを設けてもよい（即ち、微細な凹凸面とすることもできる）。
【００４８】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への光入射方向と所定の角度を成す方向に沿って延びる連続した凸部及び／又は凹部である構成とすることができる。このような構成にあっては、導光板への光入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への光入射方向と所定の角度を成す方向とは、導光板への光入射方向を０度としたとき、６０度〜１２０度の方向を意味する。以下においても同様である。あるいは又、導光板の第１面に設けられた凸部及び／又は凹部は、導光板への光入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から出射され、導光板に入射した光が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への光入射方向に沿った凸部のピッチ、あるいは、凹部のピッチを意味する。
【００４９】
導光板を備えた面状光源装置にあっては、導光板の第１面に対向して光反射部材を配置することが望ましい。導光板の第２面に対向して画像表示パネル（具体的には、例えば、液晶表示装置）が配置されている。光源から出射された光は、導光板の第１側面（例えば、切頭四角錐の底面に相当する面）から導光板に入射し、第１面の凸部あるいは凹部に衝突して散乱され、第１面から出射し、光反射部材にて反射され、第１面に再び入射し、第２面から出射され、画像表示パネルを照射する。画像表示パネルと導光板の第２面との間に、例えば、光拡散シートやプリズムシートを配置してもよい。また、光源から出射された光を直接、導光板に導いてもよいし、間接的に導光板に導いてもよい。後者の場合、例えば、光ファイバーを用いればよい。
【００５０】
導光板は、光源が出射する光を余り吸収することの無い材料から導光板を作製することが好ましい。具体的には、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。
【００５１】
本発明において、面状光源装置の駆動方法、駆動条件は特に限定するものではなく、光源を一括して制御してもよい。即ち、例えば、複数の発光素子を同時に駆動してもよい。あるいは又、複数の発光素子を部分駆動（分割駆動）してもよい。即ち、面状光源装置を複数の面状光源ユニットから構成する場合、画像表示パネルの表示領域をＳ×Ｔ個の仮想の表示領域ユニットに分割したと想定したときのこれらのＳ×Ｔ個の表示領域ユニットに対応したＳ×Ｔ個の面状光源ユニットから面状光源装置を構成し、Ｓ×Ｔ個の面状光源ユニットの発光状態を個別に制御する構成としてもよい。
【００５２】
面状光源装置並びに画像表示パネルを駆動するための駆動回路は、例えば、発光ダイオード（ＬＥＤ）駆動回路、演算回路、記憶装置（メモリ）等から構成された面状光源装置制御回路、及び、周知の回路から構成された画像表示パネル駆動回路を備えている。尚、温度制御回路を、面状光源装置制御回路に含めることができる。表示領域の部分の輝度（表示輝度）及び面状光源ユニットの輝度（光源輝度）の制御は、１画像表示フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【００５３】
透過型の液晶表示装置は、例えば、透明第１電極を備えたフロント・パネル、透明第２電極を備えたリア・パネル、及び、フロント・パネルとリア・パネルとの間に配された液晶材料から成る。
【００５４】
フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。カラーフィルターの配置パターンとして、デルタ配列に類似した配列、ストライプ配列に類似した配列、ダイアゴナル配列に類似した配列、レクタングル配列に類似した配列を挙げることができる。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００５５】
２次元マトリクス状に配列された画素（ピクセル）の数Ｐ×Ｑを（Ｐ，Ｑ）で表記したとき、（Ｐ，Ｑ）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｐ，Ｑ）の値と（Ｓ，Ｔ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００５６】
2010033009.tif 000003
【００５７】
副画素の配列状態として、具体的には、デルタ配列（トライアングル配列）に類似した配列、ストライプ配列に類似した配列、ダイアゴナル配列（モザイク配列）に類似した配列、レクタングル配列に類似した配列を挙げることができる。一般的には、ストライプ配列に類似した配列は、パーソナルコンピュータ等においてデータや文字列を表示するのに好適である。これに対して、モザイク配列に類似した配列は、ビデオカメラレコーダやデジタルスチルカメラ等において自然画を表示するのに好適である。
【００５８】
本発明の第２の態様に係る画像表示装置及びその駆動方法にあっては、画像表示装置として、直視型あるいはプロジェクション型のカラー表示の画像表示装置、フィールドシーケンシャル方式のカラー表示の画像表示装置（直視型あるいはプロジェクション型）を挙げることができる。尚、画像表示装置を構成する発光素子の数は、画像表示装置に要求される仕様に基づき、決定すればよい。また、画像表示装置に要求される仕様に基づき、ライト・バルブを更に備えている構成とすることができる。
【００５９】
画像表示装置は、カラー液晶表示装置に限定するものではなく、その他、有機エレクトロルミネッセンス表示装置（有機ＥＬ表示装置）、無機エレクトロルミネッセンス表示装置（無機ＥＬ表示装置）、冷陰極電界電子放出表示装置（ＦＥＤ）、表面伝導型電子放出表示装置（ＳＥＤ）、プラズマ表示装置（ＰＤＰ）、回折格子−光変調素子（ＧＬＶ）を備えた回折格子−光変調装置、デジタルマイクロミラーデバイス（ＤＭＤ）、ＣＲＴ等を挙げることができる。また、カラー液晶表示装置も、透過型の液晶表示装置に限定するものではなく、反射型の液晶表示装置、半透過型の液晶表示装置とすることもできる。
【実施例１】
【００６０】
実施例１は、本発明の第１の態様に係る画像表示装置及びその駆動方法、並びに、画像表示装置組立体及びその駆動方法に関する。
【００６１】
図１に概念図を示すように、実施例１の画像表示装置１０は、画像表示パネル３０と信号処理部２０とを備えている。また、実施例１の画像表示装置組立体は、画像表示装置１０と、画像表示装置（具体的には、画像表示パネル３０）を背面から照明する面状光源装置５０を具備している。ここで、図２の（Ａ）及び（Ｂ）に概念図を示すように、画像表示パネル３０は、第１原色（例えば、赤色）を表示する第１副画素（「Ｒ」で示す）、第２原色（例えば、緑色）を表示する第２副画素（「Ｇ」で示す）、第３原色（例えば、青色）を表示する第３副画素（「Ｂ」で示す）、及び、第４の色（実施例１にあっては、具体的には白色）を表示する第４副画素（「Ｗ」で示す）から構成された画素が、Ｐ×Ｑ個（水平方向にＰ個、垂直方向にＱ個）、２次元マトリクス状に配列されて成る。実施例１の画像表示装置は、より具体的には、透過型のカラー液晶表示装置から成り、画像表示パネル３０はカラー液晶表示パネルから成り、第１副画素と画像観察者との間に配置され、第１原色を通過させる第１カラーフィルター、第２副画素と画像観察者との間に配置され、第２原色を通過させる第２カラーフィルター、及び、第３副画素と画像観察者との間に配置され、第３原色を通過させる第３カラーフィルターを更に備えている。尚、第４副画素にはカラーフィルターは備えられていない。ここで、第４副画素には、カラーフィルターの代わりに透明な樹脂層が備えられていてもよく、これによって、カラーフィルターを設けないことによって第４副画素に大きな段差が生じることを防止することができる。図２の（Ａ）に示した例にあっては、第１副画素、第２副画素、第３副画素及び第４副画素は、ダイアゴナル配列（モザイク配列）に類似した配列にて配列されている。一方、図２の（Ｂ）に示した例にあっては、第１副画素、第２副画素、第３副画素及び第４副画素は、ストライプ配列に類似した配列にて配列されている。
【００６２】
実施例１にあっては、信号処理部２０は、画像表示パネル（より具体的には、カラー液晶表示パネル）を駆動するための画像表示パネル駆動回路４０、及び、面状光源装置５０を駆動するための面状光源装置制御回路６０を備えており、画像表示パネル駆動回路４０は、信号出力回路４１及び走査回路４２を備えている。尚、走査回路４２によって、画像表示パネル３０における副画素の動作（光透過率）を制御するためのスイッチング素子（例えば、ＴＦＴ）がオン／オフ制御される。一方、信号出力回路４１によって、映像信号が保持され、順次、画像表示パネル３０に出力される。信号出力回路４１と画像表示パネル３０とは、配線ＤＴＬによって電気的に接続されており、走査回路４２と画像表示パネル３０とは、配線ＳＣＬによって電気的に接続されている。
【００６３】
信号処理部２０にあっては、第（ｐ，ｑ）番目の画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する。
【００６４】
実施例１にあっては、第４の色（白色）を加えることで拡大されたＨＳＶ色空間における彩度Ｓを変数とした明度の最大値Ｖmax（Ｓ）が、信号処理部２０に記憶されている。即ち、第４の色（白色）を加えることで、ＨＳＶ色空間における明度のダイナミック・レンジが広げられている。
【００６５】
そして、信号処理部２０においては、
（Ｂ−１）複数の画素における副画素・入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる。
【００６６】
ここで、実施例１において、信号値Ｘ4-(p,q)は、Ｍｉｎ(p,q)（後述する）と伸長係数α0との積に基づき求めることができる。具体的には、
Ｘ4-(p,q)＝（Ｍｉｎ(p,q)・α0）／χ            （３）
に基づき求める。「χ」については後述する。尚、式（３）においては、Ｍｉｎ(p,q)と伸長係数α0との積をχで除しているが、これに限定するものではない。また、伸長係数α0は、１画像表示フレーム毎に決定される。
【００６７】
以下、これらの点についての説明を行う。
【００６８】
一般に、第（ｐ，ｑ）番目の画素において、第１副画素・入力信号（信号値ｘ1-(p,q)）、第２副画素・入力信号（信号値ｘ2-(p,q)）、及び、第３副画素・入力信号（信号値ｘ3-(p,q)）に基づき、円柱のＨＳＶ色空間における彩度（Saturation）Ｓ(p,q)及び明度（Brightness）Ｖ(p,q)は、以下の式（２−１）及び式（２−２）に基づき求めることができる。尚、円柱のＨＳＶ色空間の概念図を図３の（Ａ）に示し、彩度（Ｓ）と明度（Ｖ）の関係を模式的に図３の（Ｂ）に示す。尚、図３の（Ｂ）、後述する図３の（Ｄ）、図４の（Ａ）、図４の（Ｂ）においては、明度（２n−１）の値を「MAX_1」で示し、明度（２n−１）×（χ＋１）の値を「MAX_2」で示す。
Ｓ(p,q)＝（Ｍａｘ(p,q)−Ｍｉｎ(p,q)）／Ｍａｘ(p,q)    （２−１）
Ｖ(p,q)＝Ｍａｘ(p,q)                                  （２−２）
【００６９】
ここで、Ｍａｘ(p,q)は、（ｘ1-(p,q)，ｘ2-(p,q)，ｘ3-(p,q)）の３つの副画素・入力信号の信号値の最大値であり、Ｍｉｎ(p,q)は、（ｘ1-(p,q)，ｘ2-(p,q)，ｘ3-(p,q)）の３つの副画素・入力信号の信号値の最小値である。そして、彩度Ｓは０から１までの値をとることができ、明度Ｖは０から（２n−１）までの値をとることができる。尚、ｎは表示階調ビット数であり、実施例１にあっては、ｎ＝８とした。即ち、表示階調ビット数を８ビット（表示階調の値は、具体的には、０乃至２５５）とした。
【００７０】
図３の（Ｃ）及び（Ｄ）に、実施例１における第４の色（白色）を加えることで拡大された円柱のＨＳＶ色空間の概念図、及び、彩度（Ｓ）と明度（Ｖ）の関係を模式的に示す。白色を表示する第４副画素には、カラーフィルターが配置されていない。ここで、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、第１副画素、第２副画素及び第３副画素の集合体の輝度をＢＮ1-3とし、第４副画素に第４副画素・出力信号の最大信号値に相当する値を有する信号が入力されたときの第４副画素の輝度ＢＮ4としたときを想定する。即ち、第１副画素、第２副画素及び第３副画素の集合体によって最大輝度の白色が表示され、係る白色の輝度がＢＮ1-3で表される。すると、χを画像表示装置に依存した定数としたとき、定数χは、
χ＝ＢＮ4／ＢＮ1-3
で表される。
【００７１】
具体的には、第１副画素、第２副画素及び第３副画素の集合体に、以下の表示階調の値を有する入力信号
ｘ1-(p,q)＝２５５
ｘ2-(p,q)＝２５５
ｘ3-(p,q)＝２５５
が入力されたときの白色の輝度ＢＮ1-3に対して、第４副画素に表示階調の値２５５を有する入力信号が入力されたと仮定したときの輝度ＢＮ4は、例えば、１．５倍である。即ち、実施例１にあっては、
χ＝１．５
である。
【００７２】
ところで、信号値Ｘ4-(p,q)が上述した式（３）で与えられる場合、Ｖmax（Ｓ）は、以下の式で表すことができる。
【００７３】
Ｓ≦Ｓ0の場合：
Ｖmax（Ｓ）＝（χ＋１）・（２n−１）    （４−１）
Ｓ0＜Ｓ0≦１の場合：
Ｖmax（Ｓ）＝（２n−１）・（１／Ｓ）    （４−２）
ここで、
Ｓ0＝１／（χ＋１）
である。
【００７４】
このようにして得られた、拡大されたＨＳＶ色空間における彩度Ｓを変数とした明度の最大値Ｖmax（Ｓ）が、信号処理部２０に、一種のルック・アップ・テーブルとして記憶されている。
【００７５】
以下、第（ｐ，ｑ）番目の画素における信号値Ｘ1-(p,q)、信号値Ｘ2-(p,q)、信号値Ｘ3-(p,q)の求め方（伸長処理）を説明する。尚、以下の処理は、（第１副画素＋第４副画素）によって表示される第１原色の輝度、（第２副画素＋第４副画素）によって表示される第２原色の輝度、（第３副画素＋第４副画素）によって表示される第３原色の輝度の比を保つように行われる。しかも、色調を保持（維持）するように行われる。更には、階調−輝度特性（ガンマ特性，γ特性）を保持（維持）するように行われる。
【００７６】
また、いずれかの全画素において、第１副画素・入力信号の信号値ｘ1-(p,q)、第２副画素・入力信号の信号値ｘ2-(p,q)、第３副画素・入力信号の信号値ｘ3-(p,q)のいずれかが「０」である場合、第４副画素の出力信号値Ｘ4-(p,q)の値が「０」となってしまう。従って、このような場合には、以下に説明する処理を行うことなく、１画像表示フレームの表示を行うか、あるいは又、第１副画素・入力信号の信号値ｘ1-(p,q)、第２副画素・入力信号の信号値ｘ2-(p,q)、第３副画素・入力信号の信号値ｘ3-(p,q)のいずれかが「０」である画素を無視して、第１副画素・入力信号の信号値ｘ1-(p,q)、第２副画素・入力信号の信号値ｘ2-(p,q)、第３副画素・入力信号の信号値ｘ3-(p,q)のいずれもが「０」でない画素を対象として、以下の処理を行えばよい。
【００７７】
［工程−１００］
先ず、信号処理部２０において、複数の画素における副画素・入力信号の信号値に基づき、複数の画素における彩度Ｓ及び明度Ｖ（Ｓ）を求める。具体的には、第（ｐ，ｑ）番目の画素における第１副画素・入力信号の信号値ｘ1-(p,q)、第２副画素・入力信号の信号値ｘ2-(p,q)、第３副画素・入力信号の信号値ｘ3-(p,q)に基づき、式（２−１）及び式（２−２）から、Ｓ(p,q)，Ｖ(p,q)が求められる。この処理を、全ての画素に対して行う。従って、（Ｓ(p,q)，Ｖ(p,q)）の組が、Ｐ×Ｑ個求められる。
【００７８】
［工程−１１０］
次いで、信号処理部２０において、複数の画素において求められたＶmax（Ｓ）／Ｖ（Ｓ）の値の内、少なくとも１つの値に基づいて伸長係数α0を求める。
【００７９】
具体的には、実施例１にあっては、全ての画素（Ｐ×Ｑ個の画素）において求められたＶmax（Ｓ）／Ｖ（Ｓ）の値の内の最も小さい値（最小値，αmin）を伸長係数α0として求める。即ち、α(p,q)＝Ｖmax（Ｓ）／Ｖ(p,q)（Ｓ）の値を全ての画素（Ｐ×Ｑ個の画素）において求め、α(p,q)の最小値をαmin（＝伸長係数α0）とする。尚、実施例１における第４の色（白色）を加えることで拡大された円柱のＨＳＶ色空間における彩度（Ｓ）と明度（Ｖ）の関係を模式的に示す図４の（Ａ）及び（Ｂ）において、αminを与える彩度Ｓの値を「Ｓmin」で示し、そのときの明度を「Ｖmin」で示し、彩度ＳminにおけるＶmax（Ｓ）を「Ｖmax（Ｓmin）」で示している。また、図４の（Ｂ）において、Ｖ（Ｓ）を黒丸印で示し、Ｖ（Ｓ）×α0を白丸印で示し、彩度ＳにおけるＶmax（Ｓ）を白三角印で示している。
【００８０】
［工程−１２０］
次に、信号処理部２０において、第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求める。具体的には、実施例１にあっては、信号値Ｘ4-(p,q)は、Ｍｉｎ(p,q)、伸長係数α0及び定数χに基づき決定される。より具体的には、実施例１にあっては、
Ｘ4-(p,q)＝（Ｍｉｎ(p,q)・α0）／χ    （３）
に基づき求める。尚、Ｘ4-(p,q)を、Ｐ×Ｑ個の全画素において求める。
【００８１】
［工程−１３０］
次いで、信号値Ｘ1-(p,q)，Ｘ2-(p,q)，Ｘ3-(p,q)を、色空間における上限値Ｖmaxと入力信号の信号値ｘ1-(p,q)，ｘ2-(p,q)，ｘ3-(p,q)との比に基づき決定する。即ち、信号処理部２０において、第（ｐ，ｑ）番目の画素における信号値Ｘ1-(p,q)を、信号値ｘ1-(p,q)、伸長係数α0、及び、信号値Ｘ4-(p,q)に基づき求め、第（ｐ，ｑ）番目の画素における信号値Ｘ2-(p,q)を、信号値ｘ2-(p,q)、伸長係数α0、及び、信号値Ｘ4-(p,q)に基づき求め、第（ｐ，ｑ）番目の画素における信号値Ｘ3-(p,q)を、信号値ｘ3-(p,q)、伸長係数α0、及び、信号値Ｘ4-(p,q)に基づき求める。
【００８２】
具体的には、第（ｐ，ｑ）番目の画素における信号値Ｘ1-(p,q)、信号値Ｘ2-(p,q)及び信号値Ｘ3-(p,q)を、以下の式に基づき求める。
Ｘ1-(p,q)＝α0・ｘ1-(p,q)−χ・Ｘ4-(p,q)    （１−１）
Ｘ2-(p,q)＝α0・ｘ2-(p,q)−χ・Ｘ4-(p,q)    （１−２）
Ｘ3-(p,q)＝α0・ｘ3-(p,q)−χ・Ｘ4-(p,q)    （１−３）
【００８３】
図５に、実施例１における第４の色（白色）を加える前の従来のＨＳＶ色空間、第４の色（白色）を加えることで拡大されたＨＳＶ色空間、及び、入力信号の彩度（Ｓ）と明度（Ｖ）の関係の一例を示す。また、図６に、実施例１における第４の色（白色）を加える前の従来のＨＳＶ色空間、第４の色（白色）を加えることで拡大されたＨＳＶ色空間、及び、出力信号（伸長処理が施されている）の彩度（Ｓ）と明度（Ｖ）の関係の一例を示す。尚、図５及び図６の横軸の彩度（Ｓ）の値は、本来、０乃至１の間の値であるが、図５及び図６においては、２５５倍して表示している。
【００８４】
ここで、重要な点は、式（３）のとおり、Ｍｉｎ(p,q)の値がα0によって伸長されていることにある。このように、Ｍｉｎ(p,q)の値がα0によって伸長されることで、白色表示副画素（第４副画素）の輝度が増加するだけでなく、式（１−１）、式（１−２）及び式（１−３）に示すとおり、赤色表示副画素、緑色表示副画素あるいは青色表示副画素（第１副画素、第２副画素あるいは第３副画素）の輝度も増加する。それ故、色のくすみが発生するといった問題の発生を確実に回避することができる。即ち、Ｍｉｎ(p,q)の値が伸長されていない場合と比較して、Ｍｉｎ(p,q)の値がα0によって伸長されることで、画像全体として輝度はα0倍となる。従って、例えば、静止画等の画像表示を高輝度にて行うことができ、最適である。
【００８５】
χ＝１．５、（２n−１）＝２５５としたとき、（ｘ1-(p,q)，ｘ2-(p,q)，ｘ3-(p,q)）として、以下の表２に示す値が入力信号値として入力された場合に出力される出力信号値（Ｘ1-(p,q)，Ｘ2-(p,q)，Ｘ3-(p,q)，Ｘ4-(p,q)）を、以下の表２に示す。
【００８６】
ここで、表２にあっては、αminの値は１．４６７である（Ｎｏ．５の入力信号値参照）。従って、伸長係数α0を１．４６７（＝αmin）とすれば、出力信号値が（２8−１）を越えることがない。
【００８７】
然るに、もしも、Ｎｏ．３の入力信号値におけるα（Ｓ）の値を伸長係数α0＝１．５９２として採用したのでは、Ｎｏ．３の入力信号値に対する出力信号値は（２8−１）を越えることがない。しかしながら、表３に示すように、Ｎｏ．５の入力信号値に対する出力信号値は（２8−１）を越えてしまう。このように、αminの値を伸長係数α0とすれば、出力信号値が（２8−１）を越えてしまうことはない。
【００８８】
2010033009.tif 000004
【００８９】
例えば、表２に示したＮｏ．１の入力信号値にあっては、伸長係数α0を考慮すると、入力信号値（ｘ1-(p,q)，ｘ2-(p,q)，ｘ3-(p,q)）＝（２４０，２５５，１６０）に基づき表示すべき輝度の値は、８ビット表示に準拠すると、
第１副画素の輝度値＝α0・ｘ1-(p,q)＝１．４６７×２４０＝３５２
第２副画素の輝度値＝α0・ｘ2-(p,q)＝１．４６７×２５５＝３７４
第３副画素の輝度値＝α0・ｘ3-(p,q)＝１．４６７×１６０＝２３４
となる。
【００９０】
一方、求められた第４副画素の出力信号値Ｘ4-(p,q)の値は１５６である。従って、
第４副画素の輝度値＝χ・Ｘ4-(p,q)＝１．５×１５６＝２３４
となる。
【００９１】
従って、第１副画素の出力信号値Ｘ1-(p,q)、第２副画素の出力信号値Ｘ2-(p,q)、第３副画素の出力信号値Ｘ3-(p,q)は、以下のとおりとなる。
Ｘ1-(p,q)＝３５２−２３４＝１１８
Ｘ2-(p,q)＝３７４−２３４＝１４０
Ｘ3-(p,q)＝２３４−２３４＝    ０
【００９２】
このように、表２に示したＮｏ．１の入力信号値が入力される画素にあっては、最も小さな入力信号値の副画素（この場合、第３副画素）に対する出力信号値は０となり、第３副画素の表示は、第４副画素によって代用される。また、第１副画素、第２副画素、第３副画素の出力信号値Ｘ1-(p,q)，Ｘ2-(p,q)，Ｘ3-(p,q)の値は、本来、要求される値よりも低い値となる。
【００９３】
実施例１の画像表示装置組立体あるいはその駆動方法にあっては、第（ｐ，ｑ）番目の画素における信号値Ｘ1-(p,q)、信号値Ｘ2-(p,q)、信号値Ｘ3-(p,q)及び信号値Ｘ4-(p,q)は、α0倍、伸長されている。それ故、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【００９４】
ここで、実施例１の画像表示装置の駆動方法、画像表示装置組立体の駆動方法における伸長処理と、前述した特許第３８０５１５０号公報に開示された処理方法との違いを、図７の（Ａ）及び（Ｂ）に基づき説明する。ここで、図７の（Ａ）及び（Ｂ）は、それぞれ、実施例１の画像表示装置の駆動方法、画像表示装置組立体の駆動方法、及び、特許第３８０５１５０号公報に開示された処理方法における入力信号値及び出力信号値を模式的に示す図である。図７の（Ａ）に示す例において、αminが得られた第１副画素、第２副画素及び第３副画素の組の入力信号値を［１］に示す。また、伸長処理を行っている状態（入力信号値と伸長係数α0の積を求める操作）を［２］に示す。更には、伸長処理を行った後の状態（出力信号値Ｘ1-(p,q)，Ｘ2-(p,q)，Ｘ3-(p,q)，Ｘ4-(p,q)が得られた状態）を［３］に示す。一方、特許第３８０５１５０号公報に開示された処理方法における第１副画素、第２副画素及び第３副画素の組の入力信号値を［４］に示す。尚、これらの入力信号値は、図７の（Ａ）の［１］に示したと同じである。また、赤入力用副画素、緑入力用副画素及び青入力用副画素のデジタル値Ｒｉ，Ｇｉ，Ｂｉと、輝度用副画素を駆動するためのデジタル値Ｗを［５］に示す。更には、Ｒｏ、Ｇｏ，Ｂｏ並びにＷの各値を求めた結果を［６］に示す。図７の（Ａ）及び（Ｂ）から、実施例１の画像表示装置の駆動方法、画像表示装置組立体の駆動方法にあっては、第２副画素において、実現できる最大輝度を得ている。一方、特許第３８０５１５０号公報に開示された処理方法にあっては、第２副画素において、実現できる最大輝度には達していないことが判る。このように、特許第３８０５１５０号公報に開示された処理方法と比較して、実施例１の画像表示装置の駆動方法、画像表示装置組立体の駆動方法にあっては、より高い輝度での画像表示を実現することができる。
【実施例２】
【００９５】
実施例２は、実施例１の変形である。面状光源装置として、従来の直下型の面状光源装置を採用してもよいが、実施例２にあっては、以下に説明する分割駆動方式（部分駆動方式）の面状光源装置１５０を採用している。尚、伸長処理それ自体は、実施例１において説明した伸長処理と同様とすればよい。
【００９６】
分割駆動方式の面状光源装置１５０は、カラー液晶表示装置を構成する画像表示パネル１３０の表示領域１３１をＳ×Ｔ個の仮想の表示領域ユニット１３２に分割したと想定したときのこれらのＳ×Ｔ個の表示領域ユニットに対応したＳ×Ｔ個の面状光源ユニット１５２から成り、Ｓ×Ｔ個の面状光源ユニット１５２の発光状態は、個別に制御される。
【００９７】
図８に概念図を示すように、画像表示パネル（カラー液晶表示パネル）１３０は、第１の方向に沿ってＰ個、第２の方向に沿ってＱ個の、合計Ｐ×Ｑ個の画素が２次元マトリクス状に配列された表示領域１３１を備えている。ここで、表示領域１３１を、Ｓ×Ｔ個の仮想の表示領域ユニット１３２に分割したと想定する。各表示領域ユニット１３２は複数の画素から構成されている。具体的には、例えば、画像表示用解像度としてＨＤ−ＴＶ規格を満たすものであり、２次元マトリクス状に配列された画素（画素）の数Ｐ×Ｑを（Ｐ，Ｑ）で表記したとき、例えば、（１９２０，１０８０）である。また、２次元マトリクス状に配列された画素から構成された表示領域１３１（図８において、一点鎖線で示す）がＳ×Ｔ個の仮想の表示領域ユニット１３２（境界を点線で示す）に分割されている。（Ｓ，Ｔ）の値は、例えば、（１９，１２）である。但し、図面の簡素化のため、図８における表示領域ユニット１３２（及び、後述する面状光源ユニット１５２）の数は、この値と異なる。各表示領域ユニット１３２は複数の画素から構成されており、１つの表示領域ユニット１３２を構成する画素の数は、例えば、約１万である。一般に、画像表示パネル１３０は、線順次駆動される。より具体的には、画像表示パネル１３０は、マトリクス状に交差する走査電極（第１の方向に沿って延びている）とデータ電極（第２の方向に沿って延びている）とを有し、走査回路からの走査電極に走査信号を入力して走査電極を選択、走査し、信号出力回路からデータ電極に入力されたデータ信号（出力信号）に基づき画像を表示させ、１画面を構成する。
【００９８】
直下型の面状光源装置（バックライト）１５０は、Ｓ×Ｔ個の仮想の表示領域ユニット１３２に対応したＳ×Ｔ個の面状光源ユニット１５２から成り、各面状光源ユニット１５２は、面状光源ユニット１５２に対応する表示領域ユニット１３２を背面から照明する。面状光源ユニット１５２に備えられた光源は、個別に制御される。尚、画像表示パネル１３０の下方に面状光源装置１５０が位置しているが、図８においては、画像表示パネル１３０と面状光源装置１５０とを別々に表示した。
【００９９】
２次元マトリクス状に配列された画素から構成された表示領域１３１がＳ×Ｔ個の表示領域ユニット１３２に分割されているが、この状態を、「行」及び「列」で表現すると、Ｔ行×Ｓ列の表示領域ユニット１３２に分割されていると云える。また、表示領域ユニット１３２は複数（Ｍ0×Ｎ0）の画素から構成されているが、この状態を、「行」及び「列」で表現すると、Ｎ0行×Ｍ0列の画素から構成されていると云える。
【０１００】
面状光源装置１５０における面状光源ユニット１５２等の配置、配列状態を図１０に示す。光源は、パルス幅変調（ＰＷＭ）制御方式に基づき駆動される発光ダイオード１５３から成る。面状光源ユニット１５２の輝度の増減は、面状光源ユニット１５２を構成する発光ダイオード１５３のパルス幅変調制御におけるデューティ比の増減制御によって行う。発光ダイオード１５３から出射された照明光は、面状光源ユニット１５２から光拡散板を介して出射され、光拡散シート、プリズムシート、偏光変換シートといった光学機能シート群（これらは図示せず）を通過し、画像表示パネル１３０を背面から照明する。１つの面状光源ユニット１５２に１つの光センサー（フォトダイオード６７）が配置されている。そして、フォトダイオード６７によって、発光ダイオード１５３の輝度及び色度が測定される。
【０１０１】
図８及び図９に示すように、信号処理部２０からの面状光源装置制御信号（駆動信号）に基づき面状光源ユニット１５２を駆動するための面状光源装置駆動回路１６０は、パルス幅変調制御方式に基づき、面状光源ユニット１５２を構成する発光ダイオード１５３のオン／オフ制御を行う。面状光源装置駆動回路１６０は、演算回路６１、記憶装置（メモリ）６２、ＬＥＤ駆動回路６３、フォトダイオード制御回路６４、ＦＥＴから成るスイッチング素子６５、発光ダイオード駆動電源（定電流源）６６から構成されている。面状光源装置制御回路１６０を構成するこれらの回路等は、周知の回路等とすることができる。
【０１０２】
そして、或る画像表示フレームにおける発光ダイオード１５３の発光状態は、フォトダイオード６７によって測定され、フォトダイオード６７からの出力はフォトダイオード制御回路６４に入力され、フォトダイオード制御回路６４、演算回路６１において、発光ダイオード１５３の例えば輝度及び色度としてのデータ（信号）とされ、係るデータがＬＥＤ駆動回路６３に送られ、次の画像表示フレームにおける発光ダイオード１５３の発光状態が制御されるといったフィードバック機構が形成される。
【０１０３】
発光ダイオード１５３の下流には電流検出用の抵抗体ｒが、発光ダイオード１５３と直列に挿入されており、抵抗体ｒを流れる電流が電圧に変換され、抵抗体ｒにおける電圧降下が所定の値となるように、ＬＥＤ駆動回路６３の制御下、発光ダイオード駆動電源６６の動作が制御される。ここで、図９には、発光ダイオード駆動電源（定電流源）６６を１つで描写しているが、実際には、発光ダイオード１５３のそれぞれを駆動するための発光ダイオード駆動電源６６が配されている。尚、図９には、３組の面状光源ユニット１５２を図示している。図９においては、１つの面状光源ユニット１５２には１つの発光ダイオード１５３が備えられている構成を示したが、１つの面状光源ユニット１５２を構成する発光ダイオード１５３の個数は１つに限定されない。
【０１０４】
各画素は、前述したように、第１副画素、第２副画素、第３副画素及び第４副画素の４種の副画素を１組として構成されている。ここで、副画素のそれぞれの輝度の制御（階調制御）を８ビット制御とし、０〜２５５の２8段階にて行うとしている。また、各面状光源ユニット１５２を構成する発光ダイオード１５３のそれぞれの発光時間を制御するためのパルス幅変調出力信号の値ＰＳも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【０１０５】
ここで、副画素の光透過率（開口率とも呼ばれる）Ｌｔ、副画素に対応する表示領域の部分の輝度（表示輝度）ｙ、及び、面状光源ユニット１５２の輝度（光源輝度）Ｙを、以下のとおり、定義する。
【０１０６】
Ｙ1・・・・光源輝度の、例えば最高輝度であり、以下、光源輝度・第１規定値と呼ぶ場合がある。
Ｌｔ1・・・表示領域ユニット１３２における副画素の光透過率（開口率）の、例えば最大値であり、以下、光透過率・第１規定値と呼ぶ場合がある。
Ｌｔ2・・・表示領域ユニット１３２を構成する全ての副画素を駆動するために画像表示パネル駆動回路４０に入力される信号処理部２０からの出力信号の値の内の最大値である表示領域ユニット内・信号最大値Ｘmax-(s,t)に相当する制御信号が副画素に供給されたと想定したときの副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、副画素の光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・信号最大値Ｘmax-(s,t)に相当する制御信号が副画素に供給されたと想定し、しかも、このときの副画素の光透過率（開口率）が光透過率・第１規定値Ｌｔ1に補正されたと仮定したとき、副画素の輝度を表示輝度・第２規定値（ｙ2）とするための面状光源ユニット１５２の光源輝度。但し、光源輝度Ｙ2には、各面状光源ユニット１５２の光源輝度が他の面状光源ユニット１５２の光源輝度に与える影響を考慮した補正が施される場合がある。
【０１０７】
面状光源装置の部分駆動（分割駆動）時、表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、表示領域ユニット１３２に対応する面状光源ユニット１５２を構成する発光素子の輝度を面状光源装置制御回路１６０によって制御するが、具体的には、例えば、副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（Ａ）を満足するように、画像表示フレーム毎に面状光源ユニッ１５２トの光源輝度Ｙ2を制御すればよい。尚、Ｙ2≦Ｙ1の関係にある。このような制御の概念図を、図１１の（Ａ）及び（Ｂ）に示す。
【０１０８】
Ｙ2・Ｌｔ1＝Ｙ1・Ｌｔ2    （Ａ）
【０１０９】
副画素のそれぞれを制御するために、信号処理部２０から画像表示パネル駆動回路４０に、副画素のそれぞれの光透過率Ｌｔを制御するための出力信号Ｘ1-(p,q)，Ｘ2-(p,q)，Ｘ3-(p,q)，Ｘ4-(p,q)が送出される。画像表示パネル駆動回路４０においては、出力信号から制御信号が生成され、これらの制御信号が副画素に供給（出力）される。そして、制御信号に基づき各副画素を構成するスイッチング素子が駆動され、液晶セルを構成する透明第１電極及び透明第２電極（これらは図示せず）に所望の電圧が印加されることで、各副画素の光透過率（開口率）Ｌｔが制御される。ここで、制御信号が大きいほど、副画素の光透過率（開口率）Ｌｔが高くなり、副画素に対応する表示領域の部分の輝度（表示輝度ｙ）の値が高くなる。即ち、副画素を通過する光によって構成される画像（通常、一種、点状である）は明るい。
【０１１０】
表示輝度ｙ及び光源輝度Ｙ2の制御は、画像表示パネル１３０の画像表示における１画像表示フレーム毎、表示領域ユニット毎、面状光源ユニット毎に行われる。また、１画像表示フレーム内における画像表示パネル１３０の動作と面状光源装置１５０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【０１１１】
実施例１にあっては、入力信号を伸長して出力信号を得る伸長処理を、全画素に対して１つの伸長係数α0に基づき行った。一方、実施例２にあっては、Ｓ×Ｔ個の表示領域ユニット１３２のそれぞれにおいて伸長係数α0を求め、表示領域ユニット１３２のそれぞれにおいて、伸長係数α0に基づく伸長処理を行う。
【０１１２】
そして、求められた伸長係数がα0-(s,t)である第（ｓ，ｔ）番目の表示領域ユニット１３２に対応する第（ｓ，ｔ）番目の面状光源ユニット１５２においては、光源の輝度を（１／α0-(s,t)）とする。
【０１１３】
あるいは又、各表示領域ユニット１３２を構成する全ての副画素を駆動するために入力される信号処理部２０からの出力信号の値Ｘ1-(s,t)，Ｘ2-(s,t)，Ｘ3-(s,t)，Ｘ4-(s,t)の内の最大値である表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、この表示領域ユニット１３２に対応する面状光源ユニット１５２を構成する光源の輝度を、面状光源装置制御回路１６０によって制御する。具体的には、副画素の光透過率（開口率）を、光透過率・第１規定値Ｌｔ1としたときに表示輝度ｙ2が得られるように、光源輝度Ｙ2を制御すればよい（例えば、減少させればよい）。即ち、具体的には、上述した式（Ａ）を満足するように、画像表示フレーム毎に面状光源ユニット１５２の光源輝度Ｙ2を制御すればよい。
【０１１４】
ところで、面状光源装置１５０にあっては、例えば、（ｓ，ｔ）＝（１，１）の面状光源ユニット１５２の輝度制御を想定した場合、他のＳ×Ｔ個の面状光源ユニット１５２からの影響を考慮する必要がある場合がある。このような面状光源ユニット１５２が他の面状光源ユニット１５２から受ける影響は、各面状光源ユニット１５２の発光プロファイルによって予め判明しているので、逆算によって差分を計算でき、その結果、補正が可能である。演算の基本形を以下に説明する。
【０１１５】
式（Ａ）の要請に基づくＳ×Ｔ個の面状光源ユニット１５２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｓ×Ｔ個の面状光源ユニット１５２に対して予め求めておく。係る輝度を行列［Ｌ’PxQ］で表す。更には、補正係数を行列［αPxQ］で表す。すると、これらの行列の関係は、以下の式（Ｂ−１）で表すことができる。補正係数の行列［αPxQ］は、予め求めておくことができる。
［ＬPxQ］＝［Ｌ’PxQ］・［αPxQ］      （Ｂ−１）
よって、式（Ｂ−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （Ｂ−２）
を計算すればよい。そして、行列［Ｌ’PxQ］で表された輝度が得られるように、各面状光源ユニット１５２に備えられた光源（発光ダイオード１５３）を制御すればよく、具体的には、係る操作、処理は、面状光源装置制御回路１６０に備えられた記憶装置（メモリ）６２に記憶された情報（データテーブル）を用いて行えばよい。尚、発光ダイオード１５３の制御にあっては、行列［Ｌ’PxQ］の値は負の値を取れないので、演算結果は正の領域にとどめる必要があることは云うまでもない。従って、式（Ｂ−２）の解は厳密解ではなく、近似解となる場合がある。
【０１１６】
このように、面状光源装置制御回路１６０において得られた式（Ａ）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置６２に記憶された変換テーブルに基づき、０〜２５５の範囲内の対応する整数（パルス幅変調出力信号の値）に変換する。こうして、面状光源装置制御回路１６０を構成する演算回路６１において、面状光源ユニット１５２における発光ダイオード１５３の発光時間を制御するためのパルス幅変調出力信号の値を得ることができる。そして、このパルス幅変調出力信号の値に基づき、面状光源ユニット１５２を構成する発光ダイオード１５３のオン時間ｔON及びオフ時間ｔOFFを、面状光源装置制御回路１６０において決定すればよい。尚、
ｔON＋ｔOFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【０１１７】
そして、面状光源ユニット１５２を構成する発光ダイオード１５３のオン時間ｔONに相当する信号がＬＥＤ駆動回路６３に送られ、このＬＥＤ駆動回路６３からのオン時間ｔONに相当する信号の値に基づき、スイッチング素子６５がオン時間ｔONだけオン状態となり、発光ダイオード駆動電源６６からのＬＥＤ駆動電流が発光ダイオード１５３に流される。その結果、各発光ダイオード１５３は、１画像表示フレームにおいて、オン時間ｔONだけ発光する。こうして、各表示領域ユニット１３２を、所定の照度において照明する。
【実施例３】
【０１１８】
実施例３も、実施例１の変形である。実施例３にあっては、以下に説明する画像表示装置を用いる。即ち、実施例３の画像表示装置は、青色を発光する第１発光素子（第１副画素に相当する）、緑色を発光する第２発光素子（第２副画素に相当する）、赤色を発光する第３発光素子（第３副画素に相当する）、白色を発光する第４発光素子（第４副画素に相当する）から構成された、カラー画像を表示するための発光素子ユニットＵＮが、２次元マトリクス状に配列されて成る画像表示パネルを備えている。ここで、実施例３の画像表示装置を構成する画像表示パネルとして、例えば、以下に説明する構成、構造の画像表示パネルを挙げることができる。尚、発光素子ユニットＵＮの数は、画像表示装置に要求される仕様に基づき、決定すればよい。
【０１１９】
即ち、実施例３の画像表示装置を構成する画像表示パネルは、第１発光素子、第２発光素子、第３発光素子及び第４発光素子のそれぞれの発光／非発光状態を制御することで、各発光素子の発光状態を直接的に視認させることで画像を表示する、パッシブマトリックスタイプあるいはアクティブマトリックスタイプの直視型のカラー表示の画像表示パネルである。あるいは又、第１発光素子、第２発光素子、第３発光素子及び第４発光素子のそれぞれの発光／非発光状態を制御し、スクリーンに投影することで画像を表示する、パッシブマトリックスタイプあるいはアクティブマトリックスタイプのプロジェクション型のカラー表示の画像表示パネルである。
【０１２０】
例えば、このようなアクティブマトリックスタイプの直視型のカラー表示の画像表示パネルを構成する発光素子パネルを含む回路図を図１２に示すが、各発光素子２１０（図１３においては、赤色を発光する発光素子（第１副画素）を「Ｒ」で示し、緑色を発光する発光素子（第２副画素）を「Ｇ」で示し、青色を発光する発光素子（第３副画素）を「Ｂ」で示し、白色を発光する発光素子（第４副画素）を「Ｗ」で示す）の一方の電極（ｐ側電極あるいはｎ側電極）はドライバ２３３に接続され、ドライバ２３３は、コラム・ドライバ２３１及びロウ・ドライバ２３２に接続されている。また、各発光素子２１０の他方の電極（ｎ側電極あるいはｐ側電極）は接地線に接続されている。各発光素子２１０の発光／非発光状態の制御は、例えばロウ・ドライバ２３２によるドライバ２３３の選択によって行われ、コラム・ドライバ２３１から各発光素子２１０を駆動するための輝度信号がドライバ２３３に供給される。赤色を発光する発光素子Ｒ（第１発光素子，第１副画素）、緑色を発光する発光素子Ｇ（第２発光素子，第２副画素）、青色を発光する発光素子Ｂ（第３発光素子，第３副画素）、白色を発光する発光素子Ｗ（第４発光素子，第４副画素）の選択は、ドライバ２３３によって行われ、これらの赤色を発光する発光素子Ｒ、緑色を発光する発光素子Ｇ、青色を発光する発光素子Ｂ、白色を発光する発光素子Ｗのそれぞれの発光／非発光状態を、時分割制御させてもよく、あるいは又、同時に発光させてもよい。尚、直視型画像表示装置にあっては、直視され、あるいは又、プロジェクション型画像表示装置にあっては、投影レンズを経由して、スクリーンに投影される。
【０１２１】
尚、このような画像表示装置を構成する画像表示パネルの概念図を図１３に示す。直視型画像表示装置にあっては、直視され、あるいは又、プロジェクション型画像表示装置にあっては、投影レンズ２０３を経由して、スクリーンに投影される。発光素子パネル２００の構成、構造については、後述する実施例４において説明する。
【０１２２】
あるいは又、実施例３の画像表示装置を構成する画像表示パネルを、２次元マトリクス状に配列された発光素子ユニットからの出射光の通過／非通過を制御するための光通過制御装置（ライト・バルブであり、具体的には、例えば、高温ポリシリコンタイプの薄膜トランジスタを備えた液晶表示装置。以下においても同様）を備えており、発光素子ユニットにおける第１発光素子、第２発光素子、第３発光素子及び第４発光素子のそれぞれの発光／非発光状態を時分割制御し、更に、光通過制御装置によって第１発光素子、第２発光素子、第３発光素子及び第４発光素子から出射された出射光の通過／非通過を制御することで画像を表示するカラー表示の直視型あるいはプロジェクション型の画像表示パネルとすることもできる。
【０１２３】
実施例３にあっては、第１発光素子（第１副画素）、第２発光素子（第２副画素）、第３発光素子（第３副画素）及び第４発光素子（第４副画素）のそれぞれの発光状態を制御する出力信号を、実施例１において説明した伸長処理に基づき得ればよい。そして、伸長処理によって得られた出力信号の値Ｘ1-(s,t)，Ｘ2-(s,t)，Ｘ3-(s,t)，Ｘ4-(s,t)に基づき画像表示装置を駆動すれば、画像表示装置全体として輝度をα0倍に増加させることができる。あるいは又、出力信号の値Ｘ1-(s,t)，Ｘ2-(s,t)，Ｘ3-(s,t)，Ｘ4-(s,t)に基づき、第１発光素子（第１副画素）、第２発光素子（第２副画素）、第３発光素子（第３副画素）及び第４発光素子（第４副画素）のそれぞれの発光輝度を（１／α0）倍とすれば、画像品質の劣化を伴うことなく、画像表示装置全体としての消費電力の低減を図ることができる。
【実施例４】
【０１２４】
実施例４は、本発明の第２の態様に係る画像表示装置及びその駆動方法に関する。
【０１２５】
実施例４の画像表示装置は、
（Ａ−１）第１原色を表示する第１副画素が、Ｐ×Ｑ個、２次元マトリクス状に配列されて成る第１画像表示パネルと、
（Ａ−２）第２原色を表示する第２副画素が、Ｐ×Ｑ個、２次元マトリクス状に配列されて成る第２画像表示パネルと、
（Ａ−３）第３原色を表示する第３副画素が、Ｐ×Ｑ個、２次元マトリクス状に配列されて成る第３画像表示パネルと、
（Ａ−４）第４の色を表示する第４副画素が、Ｐ×Ｑ個、２次元マトリクス状に配列されて成る第４画像表示パネルと、
（Ｂ）第（ｐ，ｑ）番目の第１副画素、第２副画素及び第３副画素（但し、１≦ｐ≦Ｐ，１≦ｑ≦Ｑ）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する信号処理部２０と、
（Ｃ）第１画像表示パネル、第２画像表示パネル、第３画像表示パネル、及び、第４画像表示パネルから出射された画像を合成する合成手段３０１、
とを備えた画像表示装置である。尚、信号処理部２０は、実施例１にて説明した信号処理部２０と同様とすることができる。
【０１２６】
そして、実施例４の画像表示装置にあっては、
第４の色を加えることで拡大されたＨＳＶ色空間における彩度Ｓを変数とした明度の最大値Ｖmax（Ｓ）が、信号処理部２０に記憶されており、
信号処理部２０においては、
（Ｂ−１）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）が求められ、
（Ｂ−２）複数の第１副画素、第２副画素及び第３副画素の組において求められたＶmax（Ｓ）／Ｖ（Ｓ）の値の内、少なくとも１つの値に基づいて伸長係数α0が求められ、
（Ｂ−３）第（ｐ，ｑ）番目の第４副画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の第１副画素における信号値Ｘ1-(p,q)が、信号値ｘ1-(p,q)、伸長係数α0、及び、信号値Ｘ4-(p,q)に基づき求められ、
第（ｐ，ｑ）番目の第２副画素における信号値Ｘ2-(p,q)が、信号値ｘ2-(p,q)、伸長係数α0、及び、信号値Ｘ4-(p,q)に基づき求められ、
第（ｐ，ｑ）番目の第３副画素における信号値Ｘ3-(p,q)が、信号値ｘ3-(p,q)、伸長係数α0、及び、信号値Ｘ4-(p,q)に基づき求められる。
【０１２７】
また、実施例４の画像表示装置の駆動方法にあっては、
第４の色を加えることで拡大されたＨＳＶ色空間における彩度Ｓを変数とした明度の最大値Ｖmax（Ｓ）を、信号処理部２０に記憶しておき、
信号処理部において、
（ａ）複数の第１副画素、第２副画素及び第３副画素の組における副画素・入力信号の信号値に基づき、複数の第１副画素、第２副画素及び第３副画素の組における彩度Ｓ及び明度Ｖ（Ｓ）を求め、
（ｂ）複数の第１副画素、第２副画素及び第３副画素の組において求められたＶmax（Ｓ）／Ｖ（Ｓ）の値の内、少なくとも１つの値に基づいて伸長係数α0を求め、
（ｃ）第（ｐ，ｑ）番目の第４副画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の第１副画素における信号値Ｘ1-(p,q)を、信号値ｘ1-(p,q)、伸長係数α0、及び、信号値Ｘ4-(p,q)に基づき求め、
第（ｐ，ｑ）番目の第２副画素における信号値Ｘ2-(p,q)を、信号値ｘ2-(p,q)、伸長係数α0、及び、信号値Ｘ4-(p,q)に基づき求め、
第（ｐ，ｑ）番目の第３副画素における信号値Ｘ3-(p,q)を、信号値ｘ3-(p,q)、伸長係数α0、及び、信号値Ｘ4-(p,q)に基づき求める。
【０１２８】
具体的には、実施例１における画素に対する伸長処理を、第１副画素、第２副画素及び第３副画素の組に対する伸長処理と読み替えればよい。
【０１２９】
実施例４において、画像表示装置を、直視型あるいはプロジェクション型のカラー表示の画像表示装置とした。尚、フィールドシーケンシャル方式のカラー表示の画像表示装置（直視型あるいはプロジェクション型）とすることもできる。以下、実施例４における画像表示装置を説明する。
【０１３０】
実施例４における画像表示装置の概念図を図１４の（Ａ）、（Ｂ）、図１５及び図１６に示す。
【０１３１】
この画像表示装置は、図１６に示すように、カラー表示の画像表示装置（パッシブマトリックスタイプあるいはアクティブマトリックスタイプの直視型若しくはプロジェクション型）であり、
（イ）赤色を発光する発光素子（例えば、ＡｌＧａＩｎＰ系半導体発光素子やＧａＮ系半導体発光素子。以下においても同様）が２次元マトリクス状に配列された赤色発光素子パネル３００Ｒ（例えば、第１画像表示パネルであり、以下の説明においても同様である）、
（ロ）緑色を発光する発光素子（例えば、ＧａＮ系半導体発光素子。以下においても同様）が２次元マトリクス状に配列された緑色発光素子パネル３００Ｇ（例えば、第２画像表示パネルであり、以下の説明においても同様である）、及び、
（ハ）青色を発光する発光素子（例えば、ＧａＮ系半導体発光素子。以下においても同様）が２次元マトリクス状に配列された青色発光素子パネル３００Ｂ（例えば、第３画像表示パネルであり、以下の説明においても同様である）、
（ニ）白色を発光する発光素子が２次元マトリクス状に配列された白色発光素子パネル３００Ｗ（第４画像表示パネルであり、以下の説明においても同様である）、並びに、
（ホ）赤色発光素子パネル３００Ｒ、緑色発光素子パネル３００Ｇ、青色発光素子パネル３００Ｂ及び白色発光素子パネル３００Ｗから出射された光を１本の光路に纏めるための合成手段（例えば、ダイクロイック・プリズム３０１であり、以下の説明においても同様である）、
を備えている。そして、赤色発光素子、緑色発光素子、青色発光素子及び白色発光素子のそれぞれの発光／非発光状態を制御する。白色発光素子として、白色発光ダイオード（例えば、紫外又は青色発光ダイオードと発光粒子とを組み合わせて白色を発光する発光ダイオード）を用いればよい。以下においても同様である。
【０１３２】
パッシブマトリックスタイプの発光素子パネル３００を含む回路図を図１４の（Ａ）に示し、発光素子３１０が２次元マトリクス状に配列された発光素子パネルの模式的な断面図を図１４の（Ｂ）に示す。発光素子３１０の一方の電極（ｐ側電極あるいはｎ側電極）はコラム・ドライバ３３１に接続され、各発光素子３１０の他方の電極（ｎ側電極あるいはｐ側電極）はロウ・ドライバ３３２に接続されている。各発光素子３１０の発光／非発光状態の制御は、例えばロウ・ドライバ３３２によって行われ、コラム・ドライバ３３１から各発光素子３１０を駆動するための駆動電流が供給される。
【０１３３】
発光素子パネル２００，３００は、例えば、プリント配線板から成る支持体２１１，３１１、支持体２１１，３１１に取り付けられた発光素子２１０，３１０、支持体２１１，３１１上に形成され、発光素子２１０，３１０の一方の電極（ｐ側電極あるいはｎ側電極）に電気的に接続され、且つ、コラム・ドライバ２３１，３３１あるいはロウ・ドライバ２３２，３３２に接続されたＸ方向配線２１２，３１２、発光素子２１０，３１０の他方の電極（ｎ側電極あるいはｐ側電極）に電気的に接続され、且つ、ロウ・ドライバ２３２，３３２あるいはコラム・ドライバ２３１，３３１に接続されたＹ方向配線２１３，３１３、発光素子２１０，３１０を覆う透明基材２１４，３１４、及び、透明基材２１４，３１４上に設けられたマイクロレンズ２１５，３１５から構成されている。但し、発光素子パネル２００，３００は、このような構成に限定されるものではない。
【０１３４】
アクティブマトリックスタイプの直視型の画像表示装置を構成する発光素子パネルを含む回路図を図１５に示すが、各発光素子３１０の一方の電極（ｐ側電極あるいはｎ側電極）はドライバ３３３に接続され、ドライバ３３３は、コラム・ドライバ３３１及びロウ・ドライバ３３２に接続されている。また、各発光素子３１０の他方の電極（ｎ側電極あるいはｐ側電極）は接地線に接続されている。各発光素子３１０の発光／非発光状態の制御は、例えばロウ・ドライバ３３２によるドライバ３３３の選択によって行われ、コラム・ドライバ３３１から各発光素子３１０を駆動するための信号がドライバ３３３に供給される。
【０１３５】
図１６に示すように、発光素子パネル３００Ｒ，３００Ｇ，３００Ｂ，３００Ｗから出射された光は、ダイクロイック・プリズム３０１に入射し、これらの光の光路は１本の光路に最終的に纏められ、直視型画像表示装置にあっては、直視され、あるいは又、プロジェクション型画像表示装置にあっては、投影レンズ３０３を経由して、スクリーンに投影される。
【０１３６】
発光素子パネル３００Ｒ，３００Ｇ，３００Ｂ，３００Ｗのそれぞれを構成するＰ×Ｑ個の発光素子は、上述した伸長処理に基づき得られた出力信号Ｘ1-(p,q)，Ｘ2-(p,q)，Ｘ3-(p,q)，Ｘ4-(p,q)によって制御される。ここで、発光素子パネル３００Ｒ，３００Ｇ，３００Ｂ，３００Ｗのそれぞれを構成するＰ×Ｑ個の発光素子のそれぞれの発光／非発光状態は時分割制御される。以下の説明においても同様である。
【０１３７】
あるいは又、概念図を図１７の（Ａ）に示す画像表示装置も、カラー表示の画像表示装置（直視型あるいはプロジェクション型）であり、
（イ）赤色を発光する発光素子が２次元マトリクス状に配列された赤色発光素子パネル３００Ｒ、及び、赤色発光素子パネル３００Ｒから出射された出射光の通過／非通過を制御するための赤色光通過制御装置３０２Ｒ（第１画像表示パネルであり、ライト・バルブから成り、具体的には、例えば、高温ポリシリコンタイプの薄膜トランジスタを備えた液晶表示装置。以下においても同様）、
（ロ）緑色を発光する発光素子が２次元マトリクス状に配列された緑色発光素子パネル３００Ｇ、及び、緑色発光素子パネル３００Ｇから出射された出射光の通過／非通過を制御するための緑色光通過制御装置３０２Ｇ（第２画像表示パネルであり、ライト・バルブから成り、具体的には、液晶表示装置）、
（ハ）青色を発光する発光素子が２次元マトリクス状に配列された青色発光素子パネル３００Ｂ、及び、青色発光素子パネル３００Ｂから出射された出射光の通過／非通過を制御するための青色光通過制御装置３０２Ｂ（第３画像表示パネルであり、ライト・バルブから成り、具体的には、液晶表示装置）、
（ニ）白色を発光する発光素子が２次元マトリクス状に配列された白色発光素子パネル３００Ｗ、及び、白色発光素子パネル３００Ｗから出射された出射光の通過／非通過を制御するための白色光通過制御装置３０２Ｗ（第４画像表示パネルであり、ライト・バルブから成り、具体的には、液晶表示装置）、並びに、
（ホ）赤色光通過制御装置３０２Ｒ、緑色光通過制御装置３０２Ｇ、青色光通過制御装置３０２Ｂ及び白色光通過制御装置３０２Ｗを通過した光を１本の光路に纏めるための合成手段（ダイクロイック・プリズム３０１）、
を備えている。そして、光通過制御装置３０２Ｒ，３０２Ｇ，３０２Ｂ，３０２Ｗによってこれらの発光素子パネル３００Ｒ，３００Ｇ，３００Ｂ，３００Ｗ（画像表示パネル）から出射された出射光の通過／非通過を制御することで画像を表示する。
【０１３８】
発光素子パネル３００Ｒ，３００Ｇ，３００Ｂ，３００Ｗから出射された光は、光通過制御装置（画像表示パネル）３０２Ｒ，３０２Ｇ，３０２Ｂ，３０２Ｗによって通過／非通過が制御され、ダイクロイック・プリズム３０１に入射し、これらの光の光路は１本の光路に最終的に纏められ、直視型画像表示装置にあっては、直視され、あるいは又、プロジェクション型画像表示装置にあっては、投影レンズ３０３を経由して、スクリーンに投影される。
【０１３９】
あるいは又、概念図を図１７の（Ｂ）に示す画像表示装置も、カラー表示の画像表示装置（直視型あるいはプロジェクション型）であり、
（イ）赤色を発光する発光素子３１０Ｒ、及び、発光素子３１０Ｒから出射された出射光の通過／非通過を制御するための赤色光通過制御装置３０２Ｒ（第１画像表示パネルであり、ライト・バルブから成り、具体的には、液晶表示装置）、
（ロ）緑色を発光する発光素子３１０Ｇ、及び、発光素子３１０Ｇから出射された出射光の通過／非通過を制御するための緑色光通過制御装置３０２Ｇ（第２画像表示パネルであり、ライト・バルブから成り、具体的には、液晶表示装置）、
（ハ）青色を発光する発光素子３１０Ｂ、及び、発光素子３１０Ｂから出射された出射光の通過／非通過を制御するための青色光通過制御装置３０２Ｂ（第３画像表示パネルであり、ライト・バルブから成り、具体的には、液晶表示装置）、及び、
（ニ）白色を発光する発光素子３１０Ｗ、及び、発光素子３１０Ｗから出射された出射光の通過／非通過を制御するための白色光通過制御装置３０２Ｗ（第４画像表示パネルであり、ライト・バルブから成り、具体的には、液晶表示装置）、並びに、
（ホ）赤色発光素子３１０Ｒ、緑色発光素子３１０Ｇ、青色発光素子３１０Ｂ及び白色発光素子３１０Ｗのそれぞれから出射された光を１本の光路に纏めるための合成手段（ダイクロイック・プリズム３０１）、
を備えており、
光通過制御装置３０２Ｒ，３０２Ｇ，３０２Ｂ，３０２Ｗによってこれらの発光素子から出射された出射光の通過／非通過を制御することで画像を表示する。
【０１４０】
発光素子の数は、画像表示装置に要求される仕様に基づき、決定すればよく、１又は複数とすることができる。画像表示装置の概念図を図１７の（Ｂ）に示す例においては、発光素子３１０Ｒ，３１０Ｇ，３１０Ｂ，３１０Ｗの数は１つであり、発光素子３１０Ｒ，３１０Ｇ，３１０Ｂ，３１０Ｗはヒートシンク３４２に取り付けられている。発光素子３１０Ｒ，３１０Ｇ，３１０Ｂ，３１０Ｗから出射された光は、シリコーン樹脂やエポキシ樹脂、ポリカーボネート樹脂といった透光性物質による導光部材やミラー等の光反射体から成る光案内部材３４１Ｒ，３４１Ｇ，３４１Ｂ，３４１Ｗによって案内され、液晶表示装置から成る光通過制御装置（画像表示パネル）３０２Ｒ，３０２Ｇ，３０２Ｂ，３０２Ｗに入射する。
【実施例５】
【０１４１】
実施例５は、本発明の第３の態様に係る画像表示装置及びその駆動方法に関する。
【０１４２】
実施例５の画像表示装置は、
（Ａ）画素が、Ｐ×Ｑ個、２次元マトリクス状に配列されて成る画像表示パネルと、
（Ｂ）第（ｐ，ｑ）番目の画素（但し、１≦ｐ≦Ｐ，１≦ｑ≦Ｑ）に関して、
信号値がｘ1-(p,q)の第１入力信号、
信号値がｘ2-(p,q)の第２入力信号、及び、
信号値がｘ3-(p,q)の第３入力信号、
が入力され、
信号値がＸ1-(p,q)であり、第１原色の表示階調を決定するための第１出力信号、
信号値がＸ2-(p,q)であり、第２原色の表示階調を決定するための第２出力信号、
信号値がＸ3-(p,q)であり、第３原色の表示階調を決定するための第３出力信号、及び、
信号値がＸ4-(p,q)であり、第４の色の表示階調を決定するための第４出力信号、
を出力する信号処理部２０、
とを備えたフィールドシーケンシャル方式の画像表示装置である。
【０１４３】
そして、実施例５の画像表示装置にあっては、
第４の色を加えることで拡大されたＨＳＶ色空間における彩度Ｓを変数とした明度の最大値Ｖmax（Ｓ）が、信号処理部に記憶されており、
信号処理部においては、
（Ｂ−１）複数の画素における第１入力信号、第２入力信号及び第３入力信号の信号値に基づき、複数の画素における彩度Ｓ及び明度Ｖ（Ｓ）が求められ、
（Ｂ−２）複数の画素において求められたＶmax（Ｓ）／Ｖ（Ｓ）の値の内、少なくとも１つの値に基づいて伸長係数α0が求められ、
（Ｂ−３）第（ｐ，ｑ）番目の画素における信号値Ｘ4-(p,q)が、少なくとも、信号値ｘ1-(p,q)、信号値ｘ2-(p,q)及び信号値ｘ3-(p,q)に基づき求められ、
（Ｂ−４）第（ｐ，ｑ）番目の画素における信号値Ｘ1-(p,q)が、信号値ｘ1-(p,q)、伸長係数α0、及び、信号値Ｘ4-(p,q)に基づき求められ、
第（ｐ，ｑ）番目の画素における信号値Ｘ2-(p,q)が、信号値ｘ2-(p,q)、伸長係数α0、及び、信号値Ｘ4-(p,q)に基づき求められ、
第（ｐ，ｑ）番目の画素における信号値Ｘ3-(p,q)が、信号値ｘ3-(p,q)、伸長係数α0、及び、信号値Ｘ4-(p,q)に基づき求められる。
【０１４４】
また、実施例５の画像表示装置の駆動方法にあっては、
第４の色を加えることで拡大されたＨＳＶ色空間における彩度Ｓを変数とした明度の最大値Ｖmax（Ｓ）が、信号処理部に記憶されており、
信号処理部において、
（ａ）複数の画素における第１入力信号、第２入力信号及び第３入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第（ｐ，ｑ）番目の画素における信号値Ｘ4-(p,q)を、少なくとも、信号値ｘ1-(p,q)、信号値ｘ2-(p,q)及び信号値ｘ3-(p,q)に基づき求め、
（ｄ）第（ｐ，ｑ）番目の画素における信号値Ｘ1-(p,q)を、信号値ｘ1-(p,q)、伸長係数α0、及び、信号値Ｘ4-(p,q)に基づき求め、
第（ｐ，ｑ）番目の画素における信号値Ｘ2-(p,q)を、信号値ｘ2-(p,q)、伸長係数α0、及び、信号値Ｘ4-(p,q)に基づき求め、
第（ｐ，ｑ）番目の画素における信号値Ｘ3-(p,q)を、信号値ｘ3-(p,q)、伸長係数α0、及び、信号値Ｘ4-(p,q)に基づき求める。
【０１４５】
具体的には、実施例１における画素に対する伸長処理を、第１入力信号、第２入力信号及び第３入力信号の組に対する伸長処理と読み替えればよい。
【０１４６】
実施例５にあっては、以下に説明する画像表示装置を用いる。即ち、概念図を図１８の（Ａ）に示す実施例５の画像表示装置は、フィールドシーケンシャル方式のカラー表示の画像表示装置（直視型あるいはプロジェクション型）であり、
（イ）赤色を発光する発光素子（例えば、ＡｌＧａＩｎＰ系半導体発光素子やＧａＮ系半導体発光素子）が２次元マトリクス状に配列された赤色発光素子パネル４００Ｒ（第１原色光を出射する光源に相当する）、
（ロ）緑色を発光する発光素子（例えば、ＧａＮ系半導体発光素子）が２次元マトリクス状に配列された緑色発光素子パネル４００Ｇ（第２原色光を出射する光源に相当する）、
（ハ）青色を発光する発光素子が２次元マトリクス状に配列された青色発光素子パネル４００Ｂ（第３原色光を出射する光源に相当する）、及び、
（ニ）白色を発光する発光素子（例えば、ＧａＮ系半導体発光素子）が２次元マトリクス状に配列された白色発光素子パネル４００Ｗ（第４の色の光を出射する光源に相当する）、並びに、
（ホ）赤色発光素子パネル４００Ｒ、緑色発光素子パネル４００Ｇ、青色発光素子パネル４００Ｂ及び白色発光素子パネル４００Ｗのそれぞれから出射された光を１本の光路に最終的の纏めるための合成手段（例えば、ダイクロイック・プリズム４０１）、更には、
（ヘ）合成手段（ダイクロイック・プリズム４０１）から出射された光の通過／非通過を制御するための光通過制御装置（画像表示パネルであり、ライト・バルブから成り、具体的には、例えば、高温ポリシリコンタイプの薄膜トランジスタを備えた液晶表示装置。以下においても同様）４０２、
を備えており、光通過制御装置４０２によってこれらの発光素子パネル４００Ｒ，４００Ｇ，４００Ｂ，４００Ｗから出射された出射光の通過／非通過を制御することで画像を表示する。
【０１４７】
尚、上述したとおり、光通過制御装置４０２が画像表示パネルに相当する。そして、光通過制御装置４０２における光の通過／非通過を制御を、実施例１において説明した伸長処理に基づき得られた出力信号Ｘ1-(p,q)，Ｘ2-(p,q)，Ｘ3-(p,q)，Ｘ4-(p,q)によって行えばよい。そして、伸長処理によって得られた出力信号の値Ｘ1-(s,t)，Ｘ2-(s,t)，Ｘ3-(s,t)，Ｘ4-(s,t)に基づき画像表示装置を駆動すれば、画像表示装置全体として輝度がα0倍に高まる。あるいは又、出力信号の値Ｘ1-(s,t)，Ｘ2-(s,t)，Ｘ3-(s,t)，Ｘ4-(s,t)に基づき、赤色発光素子パネル４００Ｒ、緑色発光素子パネル４００Ｇ、青色発光素子パネル４００Ｂ、白色発光素子パネル４００Ｗのそれぞれの発光輝度を（１／α0）倍とすれば、画像品質の劣化を伴うことなく、画像表示装置全体としての消費電力の低減を図ることができる。
【０１４８】
発光素子４１０が２次元マトリクス状に配列された発光素子パネル４００Ｒ，４００Ｇ，４００Ｂ，４００Ｗから出射された光は、ダイクロイック・プリズム４０１に入射し、これらの光の光路は１本の光路に最終的に纏められ、ダイクロイック・プリズム４０１から出射されたこれらの光は光通過制御装置４０２によって通過／非通過が制御され、直視型画像表示装置にあっては、直視され、あるいは又、プロジェクション型画像表示装置にあっては、投影レンズ４０３を経由して、スクリーンに投影される。発光素子パネル４００Ｒ，４００Ｇ，４００Ｂ，４００Ｗの構成、構造については、実施例４において説明した発光素子パネル３００と同様とすることができる。
【０１４９】
あるいは又、図１８の（Ｂ）に示す画像表示装置は、フィールドシーケンシャル方式のカラー表示の画像表示装置（直視型あるいはプロジェクション型）であり、
（イ）赤色を発光する発光素子４１０Ｒ（第１原色光を出射する光源に相当する）、
（ロ）緑色を発光する発光素子４１０Ｇ（第２原色光を出射する光源に相当する）、
（ハ）青色を発光する発光素子４１０Ｂ（第３原色光を出射する光源に相当する）、及び、
（ニ）白色を発光する発光素子４１０Ｗ（第４の色の光を出射する光源に相当する）、並びに、
（ホ）赤色発光素子４１０Ｒ、緑色発光素子４１０Ｇ、青色発光素子４１０Ｂ及び白色発光素子４１０Ｗのそれぞれから出射された光を１本の光路に纏めるための合成手段（ダイクロイック・プリズム４０１）、更には、
（ヘ）１本の光路に纏めるための合成手段（ダイクロイック・プリズム４０１）から出射された光の通過／非通過を制御するための光通過制御装置（画像表示パネルであり、ライト・バルブから成る）４０２、
を備えており、
光通過制御装置４０２によってこれらの発光素子から出射された出射光の通過／非通過を制御することで画像を表示する。
【０１５０】
発光素子の数は、画像表示装置に要求される仕様に基づき、決定すればよく、１又は複数とすることができる。画像表示装置の概念図を図１８の（Ｂ）に示す例においては、発光素子４１０Ｒ，４１０Ｇ，４１０Ｂ，４１０Ｗの数は１つであり、発光素子４１０Ｒ，４１０Ｇ，４１０Ｂ，４１０Ｗはヒートシンク４４２に取り付けられている。発光素子４１０Ｒ，４１０Ｇ，４１０Ｂ，４１０Ｗから出射された光は、実施例４と同様の光案内部材４４１Ｒ，４４１Ｇ，４４１Ｂ，４４１Ｗによって案内され、ダイクロイック・プリズム４０１に入射する。
【０１５１】
以上、本発明を好ましい実施例に基づき説明したが、本発明はこれらの実施例に限定されるものではない。実施例において説明したカラー液晶表示装置組立体、カラー液晶表示装置や面状光源装置、面状光源ユニット、駆動回路の構成、構造は例示であるし、これらを構成する部材、材料等も例示であり、適宜、変更することができる。
【０１５２】
実施例にあっては、彩度Ｓ及び明度Ｖ（Ｓ）を求めるべき複数の画素（あるいは、第１副画素、第２副画素及び第３副画素の組）を、Ｐ×Ｑ個の全画素（あるいは、第１副画素、第２副画素及び第３副画素の組）であるとしたが、これに限定されるものではない。即ち、彩度Ｓ及び明度Ｖ（Ｓ）を求めるべき複数の画素（あるいは、第１副画素、第２副画素及び第３副画素の組）を、例えば、４つ毎に１つ、８つ毎に１つとすることができる。
【０１５３】
実施例１においては、第１副画素・入力信号、第２副画素・入力信号及び第３副画素・入力信号等に基づき伸長係数α0を求めたが、代替的に、第１副画素・入力信号、第２副画素・入力信号及び第３副画素・入力信号の内のいずれか１種類の入力信号（あるいは、第１副画素、第２副画素及び第３副画素の組における副画素・入力信号の内のいずれか１種類の入力信号、あるいは又、第１入力信号、第２入力信号及び第３入力信号の内のいずれか１種類の入力信号）に基づき伸長係数α0を求めてもよい。具体的には、係るいずれか１種類の入力信号における入力信号値として、例えば、緑色に対する入力信号値ｘ2-(p,q)を挙げることができる。そして、求められた伸長係数α0から、実施例と同様にして、信号値Ｘ4-(p,q)、更には、信号値Ｘ1-(p,q)，Ｘ2-(p,q)，Ｘ3-(p,q)を求めればよい。尚、この場合には、式（２−１）、式（２−２）のＳ(p,q)，Ｖ(p,q)を用いずに、Ｓ(p,q)の値として「１」を用い（即ち、式（２−１）におけるＭａｘ(p,q)の値としてｘ2-(p,q)を用い、Ｍｉｎ(p,q)）＝０とする）、Ｖ(p,q)の値としてｘ2-(p,q)を用いればよい。同様にして、第１副画素・入力信号、第２副画素・入力信号及び第３副画素・入力信号の内のいずれか２種類の入力信号における入力信号値（あるいは、第１副画素、第２副画素及び第３副画素の組における副画素・入力信号の内のいずれか２種類の入力信号、あるいは又、第１入力信号、第２入力信号及び第３入力信号の内のいずれか２種類の入力信号）に基づき伸長係数α0を求めてもよい。具体的には、例えば、赤色に対する入力信号値ｘ1-(p,q)、及び、緑色に対する入力信号値ｘ2-(p,q)を挙げることができる。そして、求められた伸長係数α0から、実施例と同様にして、信号値Ｘ4-(p,q)、更には、信号値Ｘ1-(p,q)，Ｘ2-(p,q)，Ｘ3-(p,q)を求めればよい。尚、この場合には、式（２−１）、式（２−２）のＳ(p,q)，Ｖ(p,q)を用いずに、Ｓ(p,q)の値として、ｘ1-(p,q)≧ｘ2-(p,q)の場合、
Ｓ(p,q)＝（ｘ1-(p,q)−ｘ2-(p,q)）／ｘ1-(p,q)
Ｖ(p,q)＝ｘ1-(p,q)
とすればよいし、ｘ1-(p,q)＜ｘ2-(p,q)の場合、
Ｓ(p,q)＝（ｘ2-(p,q)−ｘ1-(p,q)）／ｘ2-(p,q)
Ｖ(p,q)＝ｘ2-(p,q)
とすればよい。例えば、単色の画像をカラー画像表示装置にて表示する場合には、このような伸長処理を行えば十分である。
【０１５４】
あるいは又、画質変化が観察者が知覚できない範囲において、伸長処理を行う形態とすることもできる。具体的には、視感度の高い黄色において階調の潰れが目立ち易い。従って、特定の色相（例えば、黄色）を有する入力信号において、伸長された出力信号が確実にＶmaxを越えないように、伸長処理を行うことが好ましい。あるいは又、特定の色相（例えば、黄色）を有する入力信号の割合が少ない場合、伸長係数α0を最小値よりも大きな値とすることもできる。
【０１５５】
エッジライト型（サイドライト型）の面状光源装置を採用することもできる。そして、この場合、図１９に概念図を示すように、例えば、ポリカーボネート樹脂から成る導光板５１０は、第１面（底面）５１１、この第１面５１１と対向した第２面（頂面）５１３、第１側面５１４、第２側面５１５、第１側面５１４と対向した第３側面５１６、及び、第２側面５１５と対向した第４側面を有する。導光板のより具体的な形状は、全体として、楔状の切頭四角錐形状であり、切頭四角錐の２つの対向する側面が第１面５１１及び第２面５１３に相当し、切頭四角錐の底面が第１側面５１４に相当する。そして、第１面５１１の表面部には凹凸部５１２が設けられている。導光板５１０への第１原色光入射方向であって第１面５１１と垂直な仮想平面で導光板５１０を切断したときの連続した凸凹部の断面形状は、三角形である。即ち、第１面５１１の表面部に設けられた凹凸部５１２は、プリズム状である。導光板５１０の第２面５１３は、平滑としてもよいし（即ち、鏡面としてもよいし）、光拡散効果のあるブラストシボを設けてもよい（即ち、微細な凹凸面とすることもできる）。導光板５１０の第１面５１１に対向して光反射部材５２０が配置されている。また、導光板５１０の第２面５１３に対向して画像表示パネル（例えば、カラー液晶表示パネル）が配置されている。更には、画像表示パネルと導光板５１０の第２面５１３との間には、光拡散シート５３１及びプリズムシート５３２が配置されている。光源５００から出射された第１原色光は、導光板５１０の第１側面５１４（例えば、切頭四角錐の底面に相当する面）から導光板５１０に入射し、第１面５１１の凹凸部５１２に衝突して散乱され、第１面５１１から出射し、光反射部材５２０にて反射され、第１面５１１に再び入射し、第２面５１３から出射され、光拡散シート５３１及びプリズムシート５３２を通過して、例えば、実施例１の画像表示パネルを照射する。
【０１５６】
光源として、発光ダイオードの代わりに、第１原色光としての青色の光を出射する蛍光ランプあるいは半導体レーザを採用してもよい。この場合、蛍光ランプあるいは半導体レーザが出射する第１原色（青色）に相当する第１原色光の波長λ1として、４５０ｎｍを例示することができる。また、蛍光ランプあるいは半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、半導体レーザを用いる場合、半導体レーザが出射する第１原色（青色）に相当する第１原色光の波長λ1として、４５７ｎｍを例示することができ、この場合、半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、面状光源装置の光源として、冷陰極線型の蛍光ランプ（ＣＣＦＬ）、熱陰極線型の蛍光ランプ（ＨＣＦＬ）あるいは外部電極型の蛍光ランプ（ＥＥＦＬ，External Electrode Fluorescent Lamp）を用いることもできる。
【符号の説明】
【０１５７】
１０・・・画像表示装置、２０・・・信号処理部、３０，１３０・・・画像表示パネル、１３１・・・表示領域、１３２・・・表示領域ユニット、４０・・・画像表示パネル駆動回路、４１・・・信号出力回路、４２・・・走査回路、５０，１５０・・・面状光源装置、１５２・・・面状光源ユニット、１５３・・・発光ダイオード、６０，１６０・・・面状光源装置制御回路、６１・・・演算回路、６２・・・記憶装置（メモリ）、６３・・・ＬＥＤ駆動回路６３、６４・・・フォトダイオード制御回路、６５・・・スイッチング素子、６６・・・発光ダイオード駆動電源（定電流源）、６７・・・フォトダイオード、２００，３００・・・発光素子パネル、２１０，３１０，３１０Ｒ，３１０Ｇ，３１０Ｂ，３１０Ｗ，４１０，４１０Ｒ，４１０Ｇ，４１０Ｂ，４１０Ｗ，・・・発光素子、２１１，３１１・・・支持体、２１２，３１２・・・Ｘ方向配線、２１３，３１３・・・Ｙ方向配線、２１４，３１４・・・透明基材、２１５，３１５・・・マイクロレンズ、２０３，３０３，４０３・・・投影レンズ、２３１，３３１・・・コラム・ドライバ、２３２，３３２・・・ロウ・ドライバ、２３３，３３３・・・ドライバ、３００Ｒ，４００Ｒ・・・赤色発光素子パネル、３００Ｇ，４００Ｇ・・・緑色発光素子パネル、３００Ｂ，４００Ｂ・・・青色発光素子パネル、３００Ｗ，４００Ｗ・・・白色発光素子パネル、３０１，４０１・・・ダイクロイック・プリズム、４０２・・・光通過制御装置、３０２Ｒ・・・赤色光通過制御装置、３０２Ｇ・・・緑色光通過制御装置、３０２Ｂ・・・青色光通過制御装置、３０２Ｗ・・・白色光通過制御装置、３４１Ｒ，３４１Ｇ，３４１Ｂ，３４１Ｗ，４４１Ｒ，４４１Ｇ，４４１Ｂ，４４１Ｗ・・・光案内部材、３４２，４４２・・・ヒートシンク、５１０・・・導光板、５１１・・・第１面（底面）、５１２・・・凹凸部、５１３・・・第２面（頂面）、５１４・・・第１側面、５１５・・・第２側面、５１６・・・第３側面、５２０・・・光反射部材、５３１・・・光拡散シート、５３２・・・プリズムシート、ＵＮ・・・発光素子ユニット、ＤＴＬ，ＳＣＬ・・・配線、ｒ・・・電流検出用の抵抗体
【図１】
2010033009.tif 000005
【図２】
2010033009.tif 000006
【図３】
2010033009.tif 000007
【図４】
2010033009.tif 000008
【図７】
2010033009.tif 000009
【図８】
2010033009.tif 000010
【図９】
2010033009.tif 000011
【図１０】
2010033009.tif 000012
【図１１】
2010033009.tif 000013
【図１２】
2010033009.tif 000014
【図１３】
2010033009.tif 000015
【図１４】
2010033009.tif 000016
【図１５】
2010033009.tif 000017
【図１６】
2010033009.tif 000018
【図１７】
2010033009.tif 000019
【図１８】
2010033009.tif 000020
【図１９】
2010033009.tif 000021
【図５】
2010033009.tif 000022
【図６】
2010033009.tif 000023